(57)【要約】    【課題】  有線ネットワークの帯域設定情報をもとに、コンテンツデータごとに必要にして十分な帯域をネットワーク全体で動的に設定できる帯域設定方法を提供することを目的とする。    【解決手段】  帯域設定方法であって、無線端末がコンテンツデータ送信要求をサーバに送信するステップと、サーバが有線帯域情報を無線基地局に送信するステップと、サーバが有線帯域情報をもとに有線帯域を設定するために必要となる処理を行うステップと、無線基地局が有線帯域情報をもとに無線帯域情報を作成するステップと、無線基地局が無線帯域情報をもとに無線帯域を設定するステップと、無線基地局が帯域設定完了通知をサーバに送信するステップと、サーバがコンテンツデータを無線端末にそれぞれ送信するステップと、を有するように構成する。【選択図】            図２
2005079740.tif 000002
【特許請求の範囲】
【請求項１】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末から前記コンテンツデータ送信要求を受信した場合に、前記無線端末が接続する無線基地局を特定するステップと、
前記サーバが、前記送信を要求されたコンテンツデータの送信に必要となる前記有線ネットワークの帯域設定に関する有線帯域情報を、前記特定された無線基地局に対して送信するステップと、
前記サーバが、前記無線基地局との間の有線ネットワークに対し、前記有線帯域情報に対応した有線帯域を設定するために必要となる処理を行い、有線帯域設定応答を前記無線基地局に送信するステップと、
前記無線基地局が、前記サーバから前記有線帯域情報を受信した場合に、前記有線帯域情報をもとに前記無線端末との間の前記無線アクセスネットワークの無線帯域を設定するために必要な無線帯域情報を作成するステップと、
前記無線基地局が、前記無線帯域情報をもとに前記無線端末との間の前記無線アクセスネットワークの無線帯域を設定するステップと、
前記無線基地局が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、
前記サーバが、前記無線基地局から前記帯域設定完了通知を受信した場合に、前記無線端末から送信を要求された各コンテンツデータを前記無線端末に対してそれぞれ送信するステップと、
を有することを特徴とする帯域設定方法。
【請求項２】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末から前記コンテンツデータ送信要求を受信した場合に、前記無線端末が接続する無線基地局を特定するステップと、
前記サーバが、前記特定された無線基地局との間の有線ネットワークに対し、前記送信を要求されたコンテンツデータの送信に必要となる前記有線ネットワークの帯域設定に関する有線帯域情報に対応した有線帯域を設定するために必要となる処理を行い、有線帯域設定応答を前記無線基地局に送信するステップと、
前記サーバが、前記有線帯域情報を前記無線端末に送信するステップと、
前記無線端末が、前記サーバから前記有線帯域情報を受信した場合に、前記有線帯域情報をもとに前記無線基地局との間の前記無線アクセスネットワークの無線帯域を設定するために必要な無線帯域情報を作成するステップと、
前記無線端末が、前記無線アクセスネットワークにおける無線帯域の設定を要求する前記無線帯域情報に基づく無線帯域設定要求を、前記無線基地局に対して送信するステップと、
前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定するステップと、
前記無線基地局が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、
前記サーバが、前記無線基地局から前記帯域設定完了通知を受信した場合に、前記無線端末から送信を要求された各コンテンツデータを前記無線端末に対してそれぞれ送信するステップと、
を有することを特徴とする帯域設定方法。
【請求項３】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末との間の有線ネットワークに対し、前記送信を要求されたコンテンツデータの送信に必要となる前記有線ネットワークの帯域設定に関する有線帯域情報に対応した有線帯域を設定するために必要となる処理を行い、有線帯域設定応答を前記無線端末に送信するステップと、
前記サーバが、前記有線帯域情報を前記無線端末に対して送信するステップと、
前記無線端末が、前記サーバから前記有線帯域情報を受信した場合に、前記有線帯域情報をもとに前記無線基地局との間の前記無線アクセスネットワークの無線帯域を設定するために必要な無線帯域情報を作成するステップと、
前記無線端末が、前記無線アクセスネットワークにおける無線帯域の設定を要求する前記無線帯域情報に基づく無線帯域設定要求を、前記無線基地局に対して送信するステップと、
前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定するステップと、
前記無線端末が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする帯域設定方法。
【請求項４】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末から前記コンテンツデータ送信要求を受信した場合に、前記無線端末が接続する無線基地局を特定するステップと、
前記サーバが、前記送信を要求されたコンテンツデータの送信に必要となる前記有線ネットワークの帯域設定に関する有線帯域情報を、前記特定された無線基地局に対して送信するステップと、
前記サーバが、前記無線端末との間の有線ネットワークに対し、前記有線帯域情報に対応した有線帯域を設定するために必要となる処理を行い、有線帯域設定応答を前記無線端末に送信するステップと、
前記無線基地局が、前記サーバから前記有線帯域情報を受信した場合に、前記有線帯域情報をもとに前記無線端末との間の前記無線アクセスネットワークの無線帯域を設定するために必要な無線帯域情報を作成するステップと、
前記無線基地局が、前記無線帯域情報をもとに前記無線端末との間の前記無線アクセスネットワークの無線帯域を設定するステップと、
前記無線端末が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする帯域設定方法。
【請求項５】
請求項１〜請求項４のいずれか１項に記載の帯域設定方法において、
前記コンテンツデータは、配信レートを配信レート幅の範囲内で変更できるマルチビットレート型コンテンツであり、
前記有線帯域情報は、配信レート幅に関する情報を含み、
前記サーバが、前記無線端末から前記コンテンツデータ送信要求を受信した場合に、前記無線端末または前記無線基地局に送信する有線帯域情報の設定帯域値を、最大の配信レートに対応する帯域値に設定するステップと、
前記無線基地局または前記無線端末が、前記無線アクセスネットワークまたは前記有線ネットワークにおいて帯域の設定が失敗したことを検出した場合に、前記無線アクセスネットワークまたは前記有線ネットワークにおいて設定可能な帯域値である設定可能帯域値を含む帯域設定失敗通知を前記サーバに対して送信するステップと、
前記サーバが、前記無線基地局または前記無線端末から前記帯域設定失敗通知を受信した場合に、前記設定可能帯域値に対応する配信レートが前記有線帯域情報に含まれる配信レート幅の範囲内にあるか否かを判定するステップと、
前記サーバが、前記設定可能帯域値に対応する配信レートが前記有線帯域情報に含まれる配信レート幅の範囲内にあると判定した場合に、前記有線帯域情報の設定帯域値を前記設定可能帯域値に変更するステップと、
前記サーバが、前記設定可能帯域値に対応する配信レートが前記有線帯域情報に含まれる配信レート幅の範囲内であると判定した場合に、配信レートを前記設定可能帯域値に対応する配信レートに変更するステップと、
前記サーバ、前記無線基地局、および前記無線端末が、前記設定帯域値が前記設定可能帯域値に変更された有線帯域情報に基づいて、有線ネットワークおよび無線アクセスネットワークの帯域設定を再度行うステップと、
前記サーバが、前記帯域設定完了通知を受信した場合に、前記無線端末から送信を要求された各コンテンツデータを前記無線端末に対してそれぞれ送信するステップと、
を有することを特徴とする帯域設定方法。
【請求項６】
請求項１〜請求項４のいずれか１項に記載の帯域設定方法において、
前記コンテンツデータは、配信レートを配信レート幅の範囲内で変更できるマルチビットレート型コンテンツであり、
前記有線帯域情報は、前記配信レート幅に関する情報を含み、
前記無線基地局が、無線アクセスネットワークの帯域状況を前記サーバに対して送信するステップと、
前記サーバが、有線ネットワークの帯域状況を監視するステップと、
前記サーバが、前記無線端末から前記コンテンツデータ送信要求を受信した場合に、前記無線基地局から受信した無線アクセスネットワークの帯域状況と前記監視した有線ネットワークの帯域状況に基づいて、前記無線アクセスネットワークおよび有線ネットワークに設定可能な帯域の値である設定可能帯域値を算出するステップと、
前記サーバが、前記算出した設定可能帯域値に対応する配信レートが前記有線帯域情報に含まれる配信レート幅の範囲内にあるか否かを判定するステップと、
前記サーバが、前記設定可能帯域値に対応する配信レートが前記有線帯域情報に含まれる配信レート幅の範囲内にあると判定した場合に、前記有線帯域情報の設定帯域値を前記設定可能帯域値に変更するステップと、
前記サーバが、前記設定可能帯域値に対応する配信レートが前記有線帯域情報に含まれる配信レート幅の範囲内であると判定した場合に、配信レートを前記設定可能帯域値に対応する配信レートに変更するステップと、
前記サーバ、前記無線基地局、および前記無線端末が、前記設定帯域値が前記設定可能帯域値に変更された有線帯域情報に基づいて、有線ネットワークおよび無線アクセスネットワークの帯域設定を開始するステップと、
前記サーバが、前記帯域設定完了通知を受信した場合に、前記無線端末から送信を要求された各コンテンツデータを前記無線端末に対してそれぞれ送信するステップと、
を有することを特徴とする特徴とする帯域設定方法。
【請求項７】
請求項６に記載の帯域設定方法において、
前記無線基地局が、前記サーバから前記無線端末へのコンテンツデータの送信中に、無線アクセスネットワークの帯域状況を前記サーバに対して送信するステップと、
前記サーバが、有線ネットワークの帯域状況を監視するステップと、
前記サーバが、前記無線基地局から受信した無線アクセスネットワークの帯域状況と前記監視した有線ネットワークの帯域状況に基づいて、有線ネットワークおよび無線アクセスネットワークにおいて設定されている帯域を増やすことが可能であるか否かを判定するステップと、
前記サーバが、配信レート幅と現在の配信レートとを比較し、配信レート幅内で配信レートを上げられるか否かを判定するステップと、
前記サーバが、有線ネットワークおよび無線アクセスネットワークにおいて設定されている帯域を増やすことが可能であり、且つ配信レート幅内で配信レートを上げられると判定した場合に、前記有線帯域情報の設定帯域値を増加させるステップと、
前記サーバが、現在の配信レートを前記増加した設定帯域値に対応する配信レートに変更するステップと、
前記サーバ、前記無線基地局、および前記無線端末が、前記増加した設定帯域値を含む有線帯域情報に基づいて、有線ネットワークおよび無線アクセスネットワークの帯域設定を再度行うステップと、
を有することを特徴とする帯域設定方法。
【請求項８】
前記サーバは、前記サーバ、前記無線基地局、および前記無線端末による有線ネットワークおよび無線アクセスネットワークの再度の帯域設定が行われた後に、現在の配信レートを前記増加した設定帯域値に対応する配信レートに変更する、ことを特徴とする請求項７に記載の帯域設定方法。
【請求項９】
請求項６に記載の帯域設定方法において、
前記無線通信基地局が、前記サーバから前記無線端末へのコンテンツデータの送信中に、無線アクセスネットワークの帯域状況を前記サーバに対して送信するステップと、
前記サーバが、有線ネットワークの帯域状況を監視するステップと、
前記サーバが、前記無線基地局から受信した無線アクセスネットワークの帯域状況と前記監視した有線ネットワークの帯域状況に基づいて、無線アクセスネットワークまたは有線ネットワークにおいて設定されている帯域の確保が困難であるか否かを判定するステップと、
前記サーバが、配信レート幅と現在の配信レートとを比較し、配信レート幅内で配信レートを下げられるか否かを判定するステップと、
前記サーバが、無線アクセスネットワークまたは有線ネットワークにおいて設定されている帯域の確保が困難であり、且つ配信レート幅内で配信レートを下げられると判定した場合に、前記有線帯域情報の設定帯域値を減少させるステップと、
前記サーバが、現在の配信レートを前記減少した設定帯域値に対応する配信レートに変更するステップと、
前記サーバ、前記無線基地局、および前記無線端末が、前記減少した設定帯域値を含む有線帯域情報に基づいて、有線ネットワークおよび無線アクセスネットワークの帯域設定を再度行うステップと、
を有することを特徴とする帯域設定方法。
【請求項１０】
前記サーバは、前記サーバ、前記無線基地局、および前記無線端末による有線ネットワークおよび無線アクセスネットワークの再度の帯域設定が行われる前に、現在の配信レートを前記減少した設定帯域値に対応する配信レートに変更する、ことを特徴とする請求項９に記載の帯域設定方法。
【請求項１１】
請求項１〜請求項１０のいずれか１項に記載の帯域設定法において、
前記無線端末が、前記サーバからのコンテンツデータの受信の停止を検出した場合に、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するよう要求する無線帯域変更要求を、前記無線基地局に対して送信するステップと、
前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するステップと、
前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、
を有することにより、帯域設定前のネットワーク状態に戻ることを特徴とする帯域設定方法。
【請求項１２】
請求項１〜請求項１０のいずれか１項に記載の帯域設定方法において、
前記有線帯域情報は、前記無線アクセスネットワークおよび前記有線ネットワークにおいて前記有線帯域情報に応じた帯域を確保する時間を示す帯域確保時間を含み、
前記無線帯域情報は、前記有線帯域情報に含まれる前記帯域確保時間を含み、
前記無線基地局が、前記サーバから前記無線端末へのコンテンツデータの送信が開始された場合に、前記帯域確保時間を計測するタイマーをスタートさせるステップと、
前記無線基地局が、前記タイマーの終了を検出した場合に、コンテンツデータの送信を停止するよう要求するコンテンツデータ送信停止要求を前記サーバに送信するステップと、
前記無線基地局が、前記タイマーの終了を検出した場合に、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するステップと、
前記サーバが、前記無線基地局から前記コンテンツ送信停止要求を受信した場合に、コンテンツデータの前記無線端末への送信を停止するステップと、
前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、
を有することにより、帯域設定前のネットワーク状態に戻ることを特徴とする帯域設定方法。
【請求項１３】
請求項１〜請求項１０のいずれか１項に記載の帯域設定方法において、
前記有線帯域情報は、前記無線アクセスネットワークおよび前記有線ネットワークにおいて前記有線帯域情報に応じた帯域を確保する時間を示す帯域確保時間を含み、
前記無線帯域情報は、前記有線帯域情報に含まれる前記帯域確保時間を含み、
前記無線端末が、前記サーバからのコンテンツデータの受信を開始した場合に、前記帯域確保時間を計測するタイマーをスタートさせるステップと、
前記無線端末が、前記タイマーの終了を検出した場合に、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するよう要求する無線帯域変更要求を、前記無線基地局に対して送信するステップと、
前記無線端末が、前記タイマーの終了を検出した場合に、コンテンツデータの送信を停止するよう要求するコンテンツデータ送信停止要求を前記サーバに送信するステップと、
前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するステップと、
前記サーバが、前記無線端末から前記コンテンツ送信停止要求を受信した場合に、コンテンツデータの前記無線端末への送信を停止するステップと、
前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、
を有することにより、帯域設定前のネットワーク状態に戻ることを特徴とする帯域設定方法。
【発明の詳細な説明】
【技術分野】
【０００１】
本発明は、帯域設定方法に関し、特に、無線システムのエンド−エンドにおける帯域設定方法、すなわち、無線アクセスネットワーク（無線端末−無線基地局間）と有線ネットワーク（無線基地局−サーバ間）とにおける帯域設定方法に関する。
【背景技術】
【０００２】
無線ＬＡＮなどにおいては、無線端末が無線アクセスネットワークを介して無線基地局に接続され、この無線基地局が有線ネットワークを介してサーバなどに接続される。したがって、無線ＬＡＮなどにおける無線端末は、無線アクセスネットワークおよび有線ネットワークを介してインターネット上のサーバなどと通信することができる。
【０００３】
このような無線端末が、インターネット上のサーバから、インターネットテレビやインターネットラジオなどのコンテンツを高速・高品質で受信するためには、上記無線アクセスネットワークおよび有線ネットワークにおいて、各コンテンツに応じた必要にして十分な帯域が確保されなければならない。
【０００４】
そこで、従来の帯域設定方法は、各コンテンツが必要とする帯域を無線アクセスネットワークにおいて自動的に設定していた（特許文献１参照）。
【０００５】
また、マルチビットレート型コンテンツデータにおいては、ネットワークの状況に応じて配信レートを変更できるが、従来は、かかる配信レートの変更を無線端末のデータ受信状況に基づいて行っていた（非特許文献１参照）。
【特許文献１】特開２００２−２４７１３１号公報
【非特許文献１】「ブロードバンドアクセス新サービスへの取り組み（光と無線の融合サービス  Ｂｉｐｏｒｔｔａｂｌｅ）」、ＮＴＴ技術ジャーナル  ２００１年８月号、ｐ１７
【発明の開示】
【発明が解決しようとする課題】
【０００６】
しかし、上記従来の帯域設定方法は、コンテンツに必要な帯域の自動設定を無線アクセスネットワークにおいて実現するものであり、有線ネットワークにおいて実現するものではない。また、コンテンツの送信に必要となる帯域はコンテンツごとに異なるため、有線ネットワークの帯域をあらかじめ設定しておくことは妥当でない。
【０００７】
したがって、上記従来の帯域設定方法では、コンテンツの送信を希望するユーザが、このコンテンツの送信に必要とされる有線ネットワークの帯域を自ら調査して、これを自ら変更しなければならないという問題、または、これを管理者に通知して管理者に変更してもらわなければならないという問題があった。
【０００８】
さらに、上記従来の帯域設定方法では、無線アクセスネットワークにおける帯域の設定と有線ネットワークにおける帯域の設定とが、別個の手続きとして実施されてしまう。したがって、上記従来の帯域設定方法では、帯域がネットワーク全体において必要以上に確保されてしまうという問題もあった。
【０００９】
よって、上記従来の帯域設定方法では、コンテンツデータの送信時にのみ必要な帯域を無線端末−サーバ間のエンド−エンドで動的に確保することが不可能であった。
【００１０】
そこで、先に、サーバが保有する無線アクセスネットワークの帯域設定情報をもとに無線アクセスネットワークの帯域設定と有線ネットワークの帯域設定を連携させ、要求されるコンテンツデータごとに動的に帯域を設定する帯域設定方法が提案された（特願２００３−０３７５７３号）。
【００１１】
しかし、従来の多くのネットワークは無線アクセスネットワークを含まず、ネットワークの帯域を設定するためにサーバが保有する帯域設定情報は有線ネットワークの帯域設定情報である場合が多い。この場合、上記の帯域設定方法を適用するためには、有線ネットワークの帯域設定情報とは別に無線アクセスネットワーク用の帯域設定情報を予めサーバ管理者が用意しなければならない。また、サーバに用意する無線アクセスネットワークの帯域設定情報の内容は、無線システムごとに異なる場合が多く、無線システムを変更する場合には帯域設定情報の内容を変更する必要があった。
【００１２】
コンテンツデータが配信レートを変更可能なマルチビットレート型コンテンツである場合、ネットワークの状況に応じて配信レートを変更することができる。
【００１３】
しかし、従来は、無線端末のデータ受信状況に基づいて配信レートを変更していたため、配信レートの変更が事後的なものとなっていた。このため、従来は、配信レートを変更するまでに時間を要していた。
【００１４】
また、無線アクセスネットワークの状況は、電波伝搬状況により大きく変動する。したがって、無線端末において無線アクセスネットワークの状況を計測し、この結果をもとに配信レートを変更する従来のシステムでは、無線端末の処理負荷が大きくなってしまうという問題があった。
【００１５】
さらに、無線端末において無線アクセスネットワークの状況を計測し、この結果をもとに配信レートを変更する従来のシステムでは、計測結果をフィードバックする際無線アクセスネットワークの帯域を消費してしまうという問題もあった。
【００１６】
そこで、本発明は、かかる事情に鑑み、サーバが保有する有線ネットワークの帯域設定情報をもとに、無線アクセスネットワークの帯域設定と有線ネットワークの帯域設定とを連携して行うことができ、かつ、送信するコンテンツデータごとに必要にして十分な帯域を動的に設定できる帯域設定方法を提供することを目的とする。
【００１７】
また、本発明は、無線端末の処理負荷および無線アクセスネットワークの消費帯域を増加させることなく迅速に配信レートを変更でき、かつ、配信レートの変更に応じて無線アクセスネットワークおよび有線ネットワークの設定帯域を動的に変更できる帯域設定方法を提供することを目的とする。
【課題を解決するための手段】
【００１８】
本発明によれば、上記課題は、次の手段によって解決される。
【００１９】
すなわち、第１の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末から前記コンテンツデータ送信要求を受信した場合に、前記無線端末が接続する無線基地局を特定するステップと、前記サーバが、前記送信を要求されたコンテンツデータの送信に必要となる前記有線ネットワークの帯域設定に関する有線帯域情報を、前記特定された無線基地局に対して送信するステップと、前記サーバが、前記無線基地局との間の有線ネットワークに対し、前記有線帯域情報に対応した有線帯域を設定するために必要となる処理を行い、有線帯域設定応答を前記無線基地局に送信するステップと、前記無線基地局が、前記サーバから前記有線帯域情報を受信した場合に、前記有線帯域情報をもとに前記無線端末との間の前記無線アクセスネットワークの無線帯域を設定するために必要な無線帯域情報を作成するステップと、前記無線基地局が、前記無線帯域情報をもとに前記無線端末との間の前記無線アクセスネットワークの無線帯域を設定するステップと、前記無線基地局が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、前記サーバが、前記無線基地局から前記帯域設定完了通知を受信した場合に、前記無線端末から送信を要求された各コンテンツデータを前記無線端末に対してそれぞれ送信するステップと、を有することを特徴とする帯域設定方法である。
【００２０】
第２の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末から前記コンテンツデータ送信要求を受信した場合に、前記無線端末が接続する無線基地局を特定するステップと、前記サーバが、前記特定された無線基地局との間の有線ネットワークに対し、前記送信を要求されたコンテンツデータの送信に必要となる前記有線ネットワークの帯域設定に関する有線帯域情報に対応した有線帯域を設定するために必要となる処理を行い、有線帯域設定応答を前記無線基地局に送信するステップと、前記サーバが、前記有線帯域情報を前記無線端末に送信するステップと、前記無線端末が、前記サーバから前記有線帯域情報を受信した場合に、前記有線帯域情報をもとに前記無線基地局との間の前記無線アクセスネットワークの無線帯域を設定するために必要な無線帯域情報を作成するステップと、前記無線端末が、前記無線アクセスネットワークにおける無線帯域の設定を要求する前記無線帯域情報に基づく無線帯域設定要求を、前記無線基地局に対して送信するステップと、前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定するステップと、前記無線基地局が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、前記サーバが、前記無線基地局から前記帯域設定完了通知を受信した場合に、前記無線端末から送信を要求された各コンテンツデータを前記無線端末に対してそれぞれ送信するステップと、を有することを特徴とする帯域設定方法である。
【００２１】
第３の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末との間の有線ネットワークに対し、前記送信を要求されたコンテンツデータの送信に必要となる前記有線ネットワークの帯域設定に関する有線帯域情報に対応した有線帯域を設定するために必要となる処理を行い、有線帯域設定応答を前記無線端末に送信するステップと、前記サーバが、前記有線帯域情報を前記無線端末に対して送信するステップと、前記無線端末が、前記サーバから前記有線帯域情報を受信した場合に、前記有線帯域情報をもとに前記無線基地局との間の前記無線アクセスネットワークの無線帯域を設定するために必要な無線帯域情報を作成するステップと、前記無線端末が、前記無線アクセスネットワークにおける無線帯域の設定を要求する前記無線帯域情報に基づく無線帯域設定要求を、前記無線基地局に対して送信するステップと、前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定するステップと、前記無線端末が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする帯域設定方法である。
【００２２】
第４の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末から前記コンテンツデータ送信要求を受信した場合に、前記無線端末が接続する無線基地局を特定するステップと、前記サーバが、前記送信を要求されたコンテンツデータの送信に必要となる前記有線ネットワークの帯域設定に関する有線帯域情報を、前記特定された無線基地局に対して送信するステップと、前記サーバが、前記無線端末との間の有線ネットワークに対し、前記有線帯域情報に対応した有線帯域を設定するために必要となる処理を行い、有線帯域設定応答を前記無線端末に送信するステップと、前記無線基地局が、前記サーバから前記有線帯域情報を受信した場合に、前記有線帯域情報をもとに前記無線端末との間の前記無線アクセスネットワークの無線帯域を設定するために必要な無線帯域情報を作成するステップと、前記無線基地局が、前記無線帯域情報をもとに前記無線端末との間の前記無線アクセスネットワークの無線帯域を設定するステップと、前記無線端末が、前記有線帯域設定応答を受信し、かつ、無線帯域設定が完了したことを検出した場合に、前記無線アクセスネットワークと前記有線ネットワークとにおける帯域設定の完了を通知する帯域設定完了通知を前記サーバに対して送信するステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする帯域設定方法である。
【００２３】
第５の発明は。第１の発明〜第４の発明のいずれか１つに係る帯域設定方法において、前記コンテンツデータは、配信レートを配信レート幅の範囲内で変更できるマルチビットレート型コンテンツであり、前記有線帯域情報は、前記配信レート幅に関する情報を含み、前記サーバが、前記無線端末から前記コンテンツデータ送信要求を受信した場合に、前記無線端末または前記無線基地局に送信する有線帯域情報の設定帯域値を、最大の配信レートに対応する帯域値に設定するステップと、前記無線基地局または前記無線端末が、前記無線アクセスネットワークまたは前記有線ネットワークにおいて帯域の設定が失敗したことを検出した場合に、前記無線アクセスネットワークまたは前記有線ネットワークにおいて設定可能な帯域値である設定可能帯域値を含む帯域設定失敗通知を前記サーバに対して送信するステップと、前記サーバが、前記無線基地局または前記無線端末から前記帯域設定失敗通知を受信した場合に、前記設定可能帯域値に対応する配信レートが前記有線帯域情報に含まれる配信レート幅の範囲内にあるか否かを判定するステップと、前記サーバが、前記設定可能帯域値に対応する配信レートが前記有線帯域情報に含まれる配信レート幅の範囲内にあると判定した場合に、前記有線帯域情報の設定帯域値を前記設定可能帯域値に変更するステップと、前記サーバが、前記設定可能帯域値に対応する配信レートが前記有線帯域情報に含まれる配信レート幅の範囲内であると判定した場合に、配信レートを前記設定可能帯域値に対応する配信レートに変更するステップと、前記サーバ、前記無線基地局、および前記無線端末が、前記設定帯域値が前記設定可能帯域値に変更された有線帯域情報に基づいて、有線ネットワークおよび無線アクセスネットワークの帯域設定を再度行うステップと、前記サーバが、前記帯域設定完了通知を受信した場合に、前記無線端末から送信を要求された各コンテンツデータを前記無線端末に対してそれぞれ送信するステップと、を有することを特徴とする帯域設定方法である。
【００２４】
第６の発明は、第１の発明〜第４の発明のいずれか１つに係る帯域設定方法において、前記コンテンツデータは、配信レートを配信レート幅の範囲内で変更できるマルチビットレート型コンテンツであり、前記有線帯域情報は、前記配信レート幅に関する情報を含み、前記無線基地局が、無線アクセスネットワークの帯域状況を前記サーバに対して送信するステップと、前記サーバが、有線ネットワークの帯域状況を監視するステップと、前記サーバが、前記無線端末から前記コンテンツデータ送信要求を受信した場合に、前記無線基地局から受信した無線アクセスネットワークの帯域状況と前記監視した有線ネットワークの帯域状況に基づいて、前記無線アクセスネットワークおよび有線ネットワークに設定可能な帯域の値である設定可能帯域値を算出するステップと、前記サーバが、前記算出した設定可能帯域値に対応する配信レートが前記有線帯域情報に含まれる配信レート幅の範囲内にあるか否かを判定するステップと、前記サーバが、前記設定可能帯域値に対応する配信レートが前記有線帯域情報に含まれる配信レート幅の範囲内にあると判定した場合に、前記有線帯域情報の設定帯域値を前記設定可能帯域値に変更するステップと、前記サーバが、前記設定可能帯域値に対応する配信レートが前記有線帯域情報に含まれる配信レート幅の範囲内であると判定した場合に、配信レートを前記設定可能帯域値に対応する配信レートに変更するステップと、前記サーバ、前記無線基地局、および前記無線端末が、前記設定帯域値が前記設定可能帯域値に変更された有線帯域情報に基づいて、有線ネットワークおよび無線アクセスネットワークの帯域設定を開始するステップと、前記サーバが、前記帯域設定完了通知を受信した場合に、前記無線端末から送信を要求された各コンテンツデータを前記無線端末に対してそれぞれ送信するステップと、を有することを特徴とする特徴とする帯域設定方法である。
【００２５】
第７の発明は、第６の発明に係る帯域設定方法において、前記無線基地局が、前記サーバから前記無線端末へのコンテンツデータの送信中に、無線アクセスネットワークの帯域状況を前記サーバに対して送信するステップと、前記サーバが、有線ネットワークの帯域状況を監視するステップと、前記サーバが、前記無線基地局から受信した無線アクセスネットワークの帯域状況と前記監視した有線ネットワークの帯域状況に基づいて、有線ネットワークおよび無線アクセスネットワークにおいて設定されている帯域を増やすことが可能であるか否かを判定するステップと、前記サーバが、配信レート幅と現在の配信レートとを比較し、配信レート幅内で配信レートを上げられるか否かを判定するステップと、前記サーバが、有線ネットワークおよび無線アクセスネットワークにおいて設定されている帯域を増やすことが可能であり、且つ配信レート幅内で配信レートを上げられると判定した場合に、前記有線帯域情報の設定帯域値を増加させるステップと、前記サーバが、現在の配信レートを前記増加した設定帯域値に対応する配信レートに変更するステップと、前記サーバ、前記無線基地局、および前記無線端末が、前記増加した設定帯域値を含む有線帯域情報に基づいて、有線ネットワークおよび無線アクセスネットワークの帯域設定を再度行うステップと、を有することを特徴とする帯域設定方法である。
【００２６】
第８の発明は、前記サーバは、前記サーバ、前記無線基地局、および前記無線端末による有線ネットワークおよび無線アクセスネットワークの再度の帯域設定が行われた後に、現在の配信レートを前記増加した設定帯域値に対応する配信レートに変更する、ことを特徴とする第７の発明に係る帯域設定方法である。
【００２７】
第９の発明は、第６の発明に係る帯域設定方法において、前記無線通信基地局が、前記サーバから前記無線端末へのコンテンツデータの送信中に、無線アクセスネットワークの帯域状況を前記サーバに対して送信するステップと、前記サーバが、有線ネットワークの帯域状況を監視するステップと、前記サーバが、前記無線基地局から受信した無線アクセスネットワークの帯域状況と前記監視した有線ネットワークの帯域状況に基づいて、無線アクセスネットワークまたは有線ネットワークにおいて設定されている帯域の確保が困難であるか否かを判定するステップと、前記サーバが、配信レート幅と現在の配信レートとを比較し、配信レート幅内で配信レートを下げられるか否かを判定するステップと、前記サーバが、無線アクセスネットワークまたは有線ネットワークにおいて設定されている帯域の確保が困難であり、且つ配信レート幅内で配信レートを下げられると判定した場合に、前記有線帯域情報の設定帯域値を減少させるステップと、前記サーバが、現在の配信レートを前記減少した設定帯域値に対応する配信レートに変更するステップと、前記サーバ、前記無線基地局、および前記無線端末が、前記減少した設定帯域値を含む有線帯域情報に基づいて、有線ネットワークおよび無線アクセスネットワークの帯域設定を再度行うステップと、を有することを特徴とする帯域設定方法である。
【００２８】
第１０の発明は、前記サーバは、前記サーバ、前記無線基地局、および前記無線端末による有線ネットワークおよび無線アクセスネットワークの再度の帯域設定が行われる前に、現在の配信レートを前記減少した設定帯域値に対応する配信レートに変更する、ことを特徴とする第９の発明に係る帯域設定方法である。
【００２９】
第１１の発明は、第１の発明〜第１０の発明のいずれか１つに係る帯域設定法において、前記無線端末が、前記サーバからのコンテンツデータの受信の停止を検出した場合に、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するよう要求する無線帯域変更要求を、前記無線基地局に対して送信するステップと、前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するステップと、前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、を有することにより、帯域設定前のネットワーク状態に戻ることを特徴とする帯域設定方法である。
【００３０】
第１２の発明は、第１の発明〜第１０の発明のいずれか１つに係る帯域設定方法において、前記有線帯域情報は、前記無線アクセスネットワークおよび前記有線ネットワークにおいて前記有線帯域情報に応じた帯域を確保する時間を示す帯域確保時間を含み、前記無線帯域情報は、前記有線帯域情報に含まれる前記帯域確保時間を含み、前記無線基地局が、前記サーバから前記無線端末へのコンテンツデータの送信が開始された場合に、前記帯域確保時間を計測するタイマーをスタートさせるステップと、前記無線基地局が、前記タイマーの終了を検出した場合に、コンテンツデータの送信を停止するよう要求するコンテンツデータ送信停止要求を前記サーバに送信するステップと、前記無線基地局が、前記タイマーの終了を検出した場合に、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するステップと、前記サーバが、前記無線基地局から前記コンテンツ送信停止要求を受信した場合に、コンテンツデータの前記無線端末への送信を停止するステップと、前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、を有することにより、帯域設定前のネットワーク状態に戻ることを特徴とする帯域設定方法である。
【００３１】
また、第１３の発明は、第１の発明〜第１０の発明のいずれか１つに係る帯域設定方法において、前記有線帯域情報は、前記無線アクセスネットワークおよび前記有線ネットワークにおいて前記有線帯域情報に応じた帯域を確保する時間を示す帯域確保時間を含み、前記無線帯域情報は、前記有線帯域情報に含まれる前記帯域確保時間を含み、前記無線端末が、前記サーバからのコンテンツデータの受信を開始した場合に、前記帯域確保時間を計測するタイマーをスタートさせるステップと、前記無線端末が、前記タイマーの終了を検出した場合に、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するよう要求する無線帯域変更要求を、前記無線基地局に対して送信するステップと、前記無線端末が、前記タイマーの終了を検出した場合に、コンテンツデータの送信を停止するよう要求するコンテンツデータ送信停止要求を前記サーバに送信するステップと、前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域情報に基づいて設定した無線帯域から前記無線基地局が前記無線帯域情報に基づいて設定する前の無線帯域へ変更するステップと、前記サーバが、前記無線端末から前記コンテンツ送信停止要求を受信した場合に、コンテンツデータの前記無線端末への送信を停止するステップと、前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、を有することにより、帯域設定前のネットワーク状態に戻ることを特徴とする帯域設定方法。
【発明の効果】
【００３２】
以上説明したように、本発明によれば、サーバが保有する有線ネットワークの帯域設定情報をもとに、無線アクセスネットワークの帯域設定と有線ネットワークの帯域設定とを連携して行うことができ、かつ、送信するコンテンツデータごとに必要にして十分な帯域を動的に設定できる
したがって、本発明によれば、サーバの持つ帯域設定情報が従来から多く使用されている有線ネットワークの帯域設定情報の場合でも、コンテンツデータの送信時にのみ必要な帯域を無線端末−サーバ間のエンド−エンドで動的に確保することができる。また、無線アクセスネットワークおよび有線ネットワークのいずれの帯域も有線ネットワークの帯域設定情報により設定可能であるため、無線システムごとに帯域設定情報を作成する必要もなくなる。
【００３３】
また、本発明は、無線アクセスネットワークの状況を無線基地局で予測する。したがって、本発明によれば、無線端末の処理負荷および無線アクセスネットワークの消費帯域を増加させることなく、配信レートの迅速な変更が可能となる。
【００３４】
また、本発明によれば、無線アクセスネットワークおよび有線ネットワークの設定帯域を配信レートの変更に応じて動的に変更できる。したがって、本発明によれば、配信レートを上げた場合には変更された配信レートで安定したデータ配信を行うことができ、また、配信レートを下げた場合には帯域を必要以上に確保してしまうことを防止することができる。
【発明を実施するための最良の形態】
【００３５】
以下に、添付した図面を参照しつつ、本発明の好適な実施の形態を詳細に説明する。
【実施例１】
【００３６】
図１は、第１の発明の実施例に係る帯域設定方法を適用されたコンテンツ提供システムの全体構成を示す図である。
【００３７】
図１に示すように、第１の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されたサーバ７と、を備えている。
【００３８】
サーバ７には、インターネットテレビやインターネットラジオなどの複数のコンテンツデータ８と、データベース９と、複数の有線帯域情報１０と、が格納されている。
【００３９】
ここで、有線帯域情報１０とは、複数のコンテンツデータ８における各コンテンツデータの送信に必要となる有線ネットワーク６の帯域設定に関する情報をいう。有線帯域情報１０に含まれる情報としては、ネットワークで保証したい帯域値、遅延量、ピークレート値、最大パケットサイズ、最小パケットサイズ、予約スタイル、サービスクラス等の各種ＱｏＳ（Ｑｕａｌｉｔｙ  Ｏｆ  Ｓｅｒｖｉｃｅ）パラメータが考えられるが、このうちの一部の情報でもよく、またそれ以外の情報を含めてもよい。
【００４０】
また、データベース９には、各コンテンツデータと各有線帯域情報との対応関係が記されている。
【００４１】
つぎに、第１の発明の実施例に係る帯域設定方法を簡単に説明する。
【００４２】
図１の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【００４３】
無線端末１からコンテンツデータ送信要求を受信したサーバ７は、この受信を契機として、無線端末１が接続する無線基地局３を特定する。また、送信を要求されたコンテンツデータ８に対応する有線帯域情報１０をデータベース９を用いて選択し、この選択した有線帯域情報１０（またはその一部の情報）を無線基地局３に対して送信する。
【００４４】
また、サーバ７は、無線基地局３との間の有線ネットワーク６に対し、選択した有線帯域情報１０に対応した有線帯域を設定する。具体的には、無線基地局３、サーバ７および有線ネットワーク６に属する有線ネットワーク機器（エッジルータ４、エッジルータ５を含む）は、無線基地局３とサーバ７との間の有線ネットワーク６においてコンテンツデータ配信時（マルチキャスト配信も可）に必要となる帯域を一貫して確保する。
【００４５】
なお、第１の発明の実施例における無線基地局３、サーバ７、および有線ネットワーク６に属する有線ネットワーク機器は、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ただし、本発明は、有線ネットワーク６で一貫した帯域確保を行う方法を、ＲＳＶＰを用いた方法に限定するものではない。
【００４６】
サーバ７から有線帯域情報１０を受信した無線基地局３は、この受信した有線帯域情報１０（またはその一部の情報）を用いて、無線帯域情報を作成する。ここで、無線帯域情報とは、当該送信を要求しているコンテンツデータの送信（マルチキャスト送信も可）に必要となる無線帯域を無線アクセスネットワーク２において設定するための情報をいう。
【００４７】
無線基地局３は、この作成した無線帯域情報に基づいて、コンテンツデータの送信に必要な無線アクセスネットワーク２の帯域を設定する。
【００４８】
つぎに、第１の発明の実施例に係る帯域設定方法を詳細に説明する。
【００４９】
図２は、第１の発明の実施例に係る帯域設定方法を説明するためのシーケンス図である。
【００５０】
まず、ユーザまたはアプリケーションなどが、インターネットテレビやインターネットラジオなどのコンテンツデータ８を無線端末１上で選択する。
【００５１】
つぎに、無線端末１が、選択されたコンテンツデータ８の送信を要求するコンテンツデータ送信要求をサーバ７に対して送信する（Ｓ１）。
【００５２】
つぎに、無線端末１からコンテンツデータ送信要求を受信したサーバ７が、当該送信を要求されたコンテンツデータ８の送信に必要な有線帯域情報１０をデータベース９を用いて選択する。また、サーバ７が、無線端末１が接続する無線基地局３を特定し（Ｓ２）、この特定した無線基地局３に対して、選択した有線帯域情報１０を送信する（Ｓ３）。ここで、無線基地局３に対し送信する情報は有線帯域情報１０の一部でも良い。
【００５３】
つぎに、サーバ７が、有線ネットワーク６においてＲＳＶＰによる帯域設定を行うため、ＰＡＴＨメッセージを送信する（Ｓ４）。
【００５４】
つぎに、ＲＳＶＰに対応した有線ネットワーク６内の機器が、ＰＡＴＨメッセージを中継し、最終的に無線基地局３までＰＡＴＨメッセージを到達させる（Ｓ５、Ｓ６）。
【００５５】
つぎに、ＰＡＴＨメッセージを受信した無線基地局３が、Ｓ３でサーバ７から受信した有線帯域情報１０に基づいて、コンテンツデータ送信時に必要となる有線ネットワーク６の帯域を設定するための情報をＲＥＳＶメッセージのパラメータとして設定し、ＲＥＳＶメッセージをサーバ７に送信する（Ｓ７）。
【００５６】
ＲＥＳＶメッセージは、ＰＡＴＨメッセージが送信されたルートを逆にたどりながら有線ネットワーク６内の機器で中継され、サーバ７で受信される（Ｓ８、Ｓ９）。
【００５７】
サーバ７および有線ネットワーク６内の全ての機器においてＲＳＶＰによる有線帯域の設定が完了すると、サーバ７は、無線基地局３に対して有線帯域設定が完了した旨を有線帯域設定応答（ＲＳＶＰの場合は予約完了メッセージ）として無線基地局３に対して送信する（Ｓ１０）。
【００５８】
つぎに、無線基地局３が、Ｓ３でサーバ７から受信した有線帯域情報１０に基づいて、コンテンツデータの送信に必要となる帯域を無線アクセスネットワーク２において設定するための情報（無線帯域情報）を作成する（Ｓ１１）。そして作成した無線帯域情報をもとに無線端末１との間の無線アクセスネットワーク２の無線帯域設定を行う（Ｓ１２）。無線帯域情報の作成については、後に詳細に説明する。
【００５９】
ここで、無線アクセスネットワーク２の無線帯域設定および有線ネットワーク６の有線帯域設定の設定順は問わない。つまり、無線基地局３がサーバ７から受信した有線帯域情報１０をもとに無線帯域情報を作成し、無線アクセスネットワーク２の無線帯域を設定した後、サーバ７がＰＡＴＨメッセージを無線基地局３に送信し、有線ネットワーク６の有線帯域設定を行っても良い。
【００６０】
つぎに、サーバ７からの有線帯域設定応答を受信し、かつ無線アクセスネットワーク２の無線帯域設定が完了したことを検出した無線基地局３が、帯域設定が完了した旨を帯域設定完了通知としてサーバ７に対して送信する（Ｓ１３）。
【００６１】
つぎに、帯域設定完了通知を受信したサーバ７が、送信を要求されたコンテンツデータ８の送信を無線端末１に対して開始する（Ｓ１４）。
【００６２】
なお、無線基地局３が無線アクセスネットワーク２または有線ネットワーク６において帯域の設定が失敗したことを検出した場合、無線アクセスネットワーク２および有線ネットワーク６に設定した帯域を解放し、サーバ７はコンテンツ送信を中止する。
【００６３】
以上説明したように、第１の発明の実施例は、サーバに格納されている有線帯域情報を用いて、無線基地局とサーバ間の有線ネットワークの帯域および無線基地局と無線端末間の無線アクセスネットワークの帯域を自動的に設定する。すなわち、第１の発明の実施例においては、サーバは複数のコンテンツデータおよびそれぞれのコンテンツデータごとに有線帯域の設定を可能とする有線帯域情報を有し、無線端末よりサーバ上のコンテンツが選択されるとサーバはこれを契機に無線端末が接続する無線基地局を特定する。サーバは前記無線基地局との間の有線ネットワークに対し、有線帯域情報に対応した有線帯域設定を行う。無線基地局は有線帯域情報をもとに無線端末との間の無線アクセスネットワークの無線帯域を設定するために必要な無線帯域情報を作成する機能を有し、前記無線帯域情報をもとに無線基地局は無線端末との間の無線アクセスネットワークの無線帯域設定を行う。無線基地局が無線アクセスネットワークおよび有線ネットワークにおいて帯域の設定が完了したことを検出した場合、サーバは無線端末に対し該コンテンツデータの送信を開始する。また無線基地局が無線アクセスネットワークまたは有線ネットワークにおいて帯域の設定が失敗したことを検出した場合、無線アクセスネットワークおよび有線ネットワークに設定した帯域を解放し、サーバはコンテンツ送信を中止する。これにより、無線端末からのコンテンツ選択を契機にコンテンツデータごとの帯域を有線帯域情報をもとに無線アクセスネットワークおよび有線ネットワークに設定することで、無線端末とサーバ間のエンド-エンドのネットワーク帯域を自動的に設定することが可能となる。
【００６４】
第１の発明に係る実施例によれば、無線端末からのコンテンツ選択を契機に、無線端末とサーバ間のエンド−エンドのネットワーク帯域をコンテンツデータ受信に必要な帯域だけ動的に設定することができる。
【実施例２】
【００６５】
つぎに、第２の発明の実施例に係る帯域設定方法について説明する。
【００６６】
第２の発明の実施例に係る帯域設定方法を適用されたコンテンツ提供システムの構成は、第１の発明の実施例に係る帯域設定方法を適用されたコンテンツ提供システムの構成と同様であるので、説明を省略する。
【００６７】
第２の発明の実施例に係る帯域設定方法を簡単に説明する。
【００６８】
図１の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【００６９】
無線端末１からコンテンツデータ送信要求を受信したサーバ７は、この受信を契機として、無線端末１が接続する無線基地局３を特定する。また、送信を要求されたコンテンツデータ８に対応する有線帯域情報１０をデータベース９を用いて選択する。
【００７０】
そして、サーバ７は、無線基地局３との間の有線ネットワーク６に対し、選択した有線帯域情報１０に対応した有線帯域を設定する。具体的には、無線基地局３、サーバ７および有線ネットワーク６に属する有線ネットワーク機器（エッジルータ４、エッジルータ５を含む）は、無線基地局３とサーバ７との間の有線ネットワーク６においてコンテンツデータ配信時（マルチキャスト配信も可）に必要となる帯域を一貫して確保する。
【００７１】
なお、第２の発明の実施例における無線基地局３、サーバ７、および有線ネットワーク６に属する有線ネットワーク機器は、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ただし、本発明は、有線ネットワーク６で一貫した帯域確保を行う方法を、ＲＳＶＰを用いた方法に限定するものではない。
【００７２】
また、サーバ７は、選択した有線帯域情報１０を無線端末１に対して送信する。
【００７３】
サーバ７から有線帯域情報１０を受信した無線端末１は、この受信した有線帯域情報１０（またはその一部の情報）を用いて、無線帯域情報を作成する。ここで、無線帯域情報とは、当該送信を要求しているコンテンツデータの送信（マルチキャスト送信も可）に必要となる無線帯域を無線アクセスネットワーク２において設定するための情報をいう。
【００７４】
無線端末１は、この作成した無線帯域情報を含む無線帯域設定要求を無線基地局３に対し送信する。
【００７５】
無線端末１から無線帯域設定要求を受信した無線基地局３は、この受信した無線帯域設定要求に基づいて、前記コンテンツデータの送信に必要な無線アクセスネットワーク２の帯域を設定する。
【００７６】
つぎに、第２の発明の実施例に係る帯域設定方法を詳細に説明する。
【００７７】
図３は、第２の発明の実施例に係る帯域設定方法を説明するためのシーケンス図である。
【００７８】
Ｓ１〜１０まで、図２と同じである。
【００７９】
サーバ７が、選択した有線帯域情報１０を無線端末１に対して送信する（Ｓ１１）。
【００８０】
ここで、サーバ７が有線帯域情報１０を無線基地局３に対し送信する（Ｓ３）順番と、無線端末１に有線帯域情報１０を送信する（Ｓ１１）順番は問わない。
【００８１】
つぎに、サーバ７から有線帯域情報１０を受信した無線端末１が、コンテンツデータの送信に必要となる帯域を無線アクセスネットワーク２において設定するための情報（無線帯域情報）を作成し（Ｓ１２）、この作成した無線帯域情報を含む無線帯域設定要求を無線基地局３に対して送信する（Ｓ１３）。無線帯域情報の作成については、後に詳細に説明する。
【００８２】
つぎに、無線帯域設定要求を受信した無線基地局３が、無線アクセスネットワーク２において無線基地局３と無線端末１との間に無線帯域設定要求で要求された帯域を設定する（Ｓ１４）。
【００８３】
つぎに、サーバ７からの有線帯域設定応答を受信し、かつ無線アクセスネットワーク２の無線帯域設定が完了したことを検出した無線基地局３が、帯域設定が完了した旨を帯域設定完了通知としてサーバ７に対して送信する（Ｓ１５）。
【００８４】
つぎに、帯域設定完了通知を受信したサーバ７が、送信を要求されたコンテンツデータ８の送信を無線端末１に対して開始する（Ｓ１６）。
【００８５】
なお、無線基地局３が無線アクセスネットワーク２または有線ネットワーク６において帯域の設定が失敗したことを検出した場合、無線アクセスネットワーク２および有線ネットワーク６に設定した帯域を解放し、サーバ７はコンテンツ送信を中止する。
【００８６】
以上説明したように、第２の発明の実施例は、サーバに格納されている有線帯域情報を用いて、無線基地局とサーバ間の有線ネットワークの帯域および無線基地局と無線端末間の無線アクセスネットワークの帯域を自動的に設定する。すなわち、第２の発明の実施例においては、サーバは複数のコンテンツデータおよびそれぞれのコンテンツデータごとに有線帯域設定を可能とする有線帯域情報を有し、無線端末よりサーバ上のコンテンツが選択されるとサーバはこれを契機に無線端末が接続する無線基地局を特定する。サーバは前記無線基地局との間の有線ネットワークに対し、有線帯域情報に対応した有線帯域設定を行うとともに、有線帯域情報を無線端末に送信し、前記有線帯域情報を受信した無線端末はこれをもとに無線基地局との間の無線アクセスネットワークの無線帯域を設定するために必要な無線帯域情報を作成する機能を有し、前記無線帯域情報をもとに無線基地局は無線端末との間の無線アクセスネットワークの無線帯域設定を行う。無線基地局が無線アクセスネットワークおよび有線ネットワークにおいて帯域の設定が完了したことを検出した場合、サーバは無線端末に対し該コンテンツデータの送信を開始する。また無線基地局が無線アクセスネットワークまたは有線ネットワークにおいて帯域の設定が失敗したことを検出した場合、無線アクセスネットワークおよび有線ネットワークに設定した帯域を解放し、サーバはコンテンツ送信を中止する。これにより、無線端末からのコンテンツ選択を契機にコンテンツデータごとの帯域を無線アクセスネットワークおよび有線ネットワークに設定することで、無線端末とサーバ間のエンド-エンドのネットワーク帯域を自動的に設定することが可能となる。
【００８７】
第２の発明に係る実施例によれば、無線端末からのコンテンツ選択を契機に、無線端末とサーバ間のエンド−エンドのネットワーク帯域をコンテンツデータ受信に必要な帯域だけ動的に設定することができる。
【実施例３】
【００８８】
つぎに、第３の発明の実施例に係る帯域設定方法について説明する。
【００８９】
第３の発明の実施例に係る帯域設定方法を適用されたコンテンツ提供システムの構成は、第１の発明の実施例に係る帯域設定方法を適用されたコンテンツ提供システムの構成と同様であるので、説明を省略する。
【００９０】
第３の発明の実施例に係る帯域設定方法を簡単に説明する。
【００９１】
図１の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【００９２】
無線端末１からコンテンツデータ送信要求を受信したサーバ７は、この受信を契機として、送信を要求されたコンテンツデータ８に対応する有線帯域情報１０をデータベース９を用いて選択する。
【００９３】
そして、サーバ７は、選択した有線帯域情報１０を無線端末１に対して送信するとともに、無線端末１との間の有線ネットワーク６に対し、選択した有線帯域情報１０に対応した有線帯域を設定する。具体的には、サーバ７および有線ネットワーク６に属する有線ネットワーク機器（エッジルータ４、エッジルータ５を含む）は、無線基地局３に接続するエッジルータ４とサーバ７との間の有線ネットワーク６においてコンテンツデータ配信時（マルチキャスト配信も可）に必要となる帯域を一貫して確保する。
【００９４】
なお、第３の発明の実施例における無線端末１、サーバ７、および有線ネットワーク６に属する有線ネットワーク機器は、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ここで、無線基地局３は、ＲＳＶＰに対応していないため、ＲＳＶＰメッセージはトンネリングされる。
【００９５】
サーバ７から有線帯域情報１０を受信した無線端末１は、この受信した有線帯域情報１０（またはその一部の情報）を用いて、無線帯域情報を作成する。ここで、無線帯域情報とは、当該送信を要求しているコンテンツデータの送信（マルチキャスト送信も可）に必要となる無線帯域を無線アクセスネットワーク２において設定するための情報をいう。
【００９６】
無線端末１は、この作成した無線帯域情報を含む無線帯域設定要求を無線基地局３に対し送信する。
【００９７】
無線端末１から無線帯域設定要求を受信した無線基地局３は、この受信した無線帯域設定要求に基づいて、前記コンテンツデータの送信に必要な無線アクセスネットワーク２の帯域を設定する。
【００９８】
つぎに、第３の発明の実施例に係る帯域設定方法を詳細に説明する。
【００９９】
図４は、第３の発明の実施例に係る帯域設定方法を説明するためのシーケンス図である。
【０１００】
まず、ユーザまたはアプリケーションなどが、インターネットテレビやインターネットラジオなどのコンテンツデータ８を無線端末１上で選択する。
【０１０１】
つぎに、無線端末１が、選択されたコンテンツデータ８の送信を要求するコンテンツデータ送信要求をサーバ７に対して送信する（Ｓ１）。
【０１０２】
つぎに、無線端末１からコンテンツデータ送信要求を受信したサーバ７が、当該送信を要求されたコンテンツデータ８の送信に必要な有線帯域情報１０をデータベース９を用いて選択し、選択した有線帯域情報１０を無線端末１に対して送信する（Ｓ２）。
【０１０３】
つぎに、サーバ７が、有線ネットワーク６においてＲＳＶＰによる帯域設定を行うため、ＰＡＴＨメッセージを送信する（Ｓ３）。
【０１０４】
つぎに、ＲＳＶＰに対応した有線ネットワーク６内の機器が、ＰＡＴＨメッセージを中継し、最終的に無線端末１までＰＡＴＨメッセージを到達させる（Ｓ４、Ｓ５）。
【０１０５】
ここで、無線基地局３は、ＲＳＶＰに対応していないため、ＰＡＴＨメッセージはトンネリングされる。
【０１０６】
つぎに、ＰＡＴＨメッセージを受信した無線端末１が、サーバ７から受信した有線帯域情報１０に基づいて、コンテンツデータ送信時に必要となる有線ネットワーク６の帯域を設定するための情報をＲＥＳＶメッセージのパラメータとして設定し、ＲＥＳＶメッセージをサーバ７に送信する（Ｓ６）。
【０１０７】
ＲＥＳＶメッセージは、ＰＡＴＨメッセージが送信されたルートを逆にたどりながら有線ネットワーク６内の機器で中継され、サーバ７で受信される（Ｓ７、Ｓ８）。
【０１０８】
サーバ７および有線ネットワーク６内の全ての機器においてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ９）。
【０１０９】
つぎに、サーバ７から有線帯域情報１０を受信した無線端末１が、受信した有線帯域情報１０に基づいて、コンテンツデータの送信に必要となる帯域を無線アクセスネットワーク２において設定するための情報（無線帯域情報）を作成し（Ｓ１０）、この作成した無線帯域情報を含む無線帯域設定要求を無線基地局３に対して送信する（Ｓ１１）。無線帯域情報の作成については、後に詳細に説明する。
【０１１０】
つぎに、無線帯域設定要求を受信した無線基地局３が、無線アクセスネットワーク２において無線基地局３と無線端末１との間に無線帯域設定要求で要求された帯域を設定する（Ｓ１２）。
【０１１１】
つぎに、サーバ７からの有線帯域設定応答を受信し、かつ無線アクセスネットワーク２の無線帯域設定が完了したことを検出した無線端末１が、帯域設定が完了した旨を帯域設定完了通知としてサーバ７に対して送信する（Ｓ１３）。
【０１１２】
つぎに、帯域設定完了通知を受信したサーバ７が、送信を要求されたコンテンツデータ８の送信を無線端末１に対して開始する（Ｓ１４）。
【０１１３】
なお、無線基地局３が無線アクセスネットワーク２または有線ネットワーク６において帯域の設定が失敗したことを検出した場合、無線アクセスネットワーク２および有線ネットワーク６に設定した帯域を解放し、サーバ７はコンテンツ送信を中止する。
【０１１４】
以上説明したように、第３の発明の実施例は、サーバに格納されている有線帯域情報を用いて、無線基地局とサーバ間の有線ネットワークの帯域および無線基地局と無線端末間の無線アクセスネットワークの帯域を自動的に設定する。すなわち、第３の発明の実施例においては、サーバは複数のコンテンツデータおよびそれぞれのコンテンツデータごとに有線帯域の設定を可能とする有線帯域情報を有し、無線端末よりサーバ上のコンテンツが選択されるとサーバはこれを契機に無線端末に対し有線帯域情報を送信するとともに、有線帯域情報をもとに無線端末との間の有線ネットワークにおいて有線帯域の設定を行う。前記有線帯域情報を受信した無線端末は、有線帯域情報をもとに無線基地局との間の無線アクセスネットワークの無線帯域を設定するために必要な無線帯域情報を作成する機能を有し、前記無線帯域情報をもとに無線基地局は無線端末との間の無線アクセスネットワークの無線帯域設定を行う。無線基地局が無線アクセスネットワークおよび有線ネットワークにおいて帯域の設定が完了したことを検出した場合、サーバは無線端末に対し該コンテンツデータの送信を開始する。また無線基地局が無線アクセスネットワークまたは有線ネットワークにおいて帯域の設定が失敗したことを検出した場合、無線アクセスネットワークおよび有線ネットワークに設定した帯域を解放し、サーバはコンテンツ送信を中止する。これにより、無線端末からのコンテンツ選択を契機にコンテンツデータごとの帯域を有線帯域情報をもとに無線アクセスネットワークおよび有線ネットワークに設定することで、無線端末とサーバ間のエンド-エンドのネットワーク帯域を自動的に設定することが可能となる。
【０１１５】
第３の発明に係る実施例によれば、無線端末からのコンテンツ選択を契機に、無線端末とサーバ間のエンド−エンドのネットワーク帯域をコンテンツデータ受信に必要な帯域だけ動的に設定することができる。
【実施例４】
【０１１６】
つぎに、第４の発明の実施例に係る帯域設定方法について説明する。
【０１１７】
第４の発明の実施例に係る帯域設定方法を適用されたコンテンツ提供システムの構成は、第１の発明の実施例に係る帯域設定方法を適用されたコンテンツ提供システムの構成と同様であるので、説明を省略する。
【０１１８】
第４の発明の実施例に係る帯域設定方法を簡単に説明する。
【０１１９】
図１の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【０１２０】
無線端末１からコンテンツデータ送信要求を受信したサーバ７は、この受信を契機として、無線端末１が接続する無線基地局３を特定する。また、送信を要求されたコンテンツデータ８に対応する有線帯域情報１０をデータベース９を用いて選択し、この選択した有線帯域情報１０（またはその一部の情報）を無線基地局３に対して送信する。
【０１２１】
また、サーバ７は、選択した有線帯域情報１０を無線端末１に対して送信するとともに、無線端末１との間の有線ネットワーク６に対し、選択した有線帯域情報１０に対応した有線帯域を設定する。具体的には、サーバ７および有線ネットワーク６に属する有線ネットワーク機器（エッジルータ４、エッジルータ５を含む）は、無線基地局３に接続するエッジルータ４とサーバ７との間の有線ネットワーク６においてコンテンツデータ配信時（マルチキャスト配信も可）に必要となる帯域を一貫して確保する。
【０１２２】
なお、第４の発明の実施例における無線端末１、サーバ７、および有線ネットワーク６に属する有線ネットワーク機器は、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ここで、無線基地局３は、ＲＳＶＰに対応していないため、ＲＳＶＰメッセージはトンネリングされる。
【０１２３】
サーバ７から有線帯域情報１０を受信した無線基地局３は、この受信した有線帯域情報１０（またはその一部の情報）を用いて、無線帯域情報を作成する。ここで、無線帯域情報とは、当該送信を要求しているコンテンツデータの送信（マルチキャスト送信も可）に必要となる無線帯域を無線アクセスネットワーク２において設定するための情報をいう。
【０１２４】
無線基地局３は、この作成した無線帯域情報に基づいて、コンテンツデータの送信に必要な無線アクセスネットワーク２の帯域を設定する。
【０１２５】
つぎに、第４の発明の実施例に係る帯域設定方法を詳細に説明する。
【０１２６】
図５は、第４の発明の実施例に係る帯域設定方法を説明するためのシーケンス図である。
【０１２７】
まず、ユーザまたはアプリケーションなどが、インターネットテレビやインターネットラジオなどのコンテンツデータ８を無線端末１上で選択する。
【０１２８】
つぎに、無線端末１が、選択されたコンテンツデータ８の送信を要求するコンテンツデータ送信要求をサーバ７に対して送信する（Ｓ１）。
【０１２９】
つぎに、無線端末１からコンテンツデータ送信要求を受信したサーバ７が、当該送信を要求されたコンテンツデータ８の送信に必要な有線帯域情報１０をデータベース９を用いて選択する。また、サーバ７が、無線端末１が接続する無線基地局３を特定し（Ｓ２）、この特定した無線基地局３に対して、選択した有線帯域情報１０を送信する（Ｓ３）。
【０１３０】
つぎに、サーバ７が、選択した有線帯域情報１０を無線端末１に対して送信し（Ｓ４）、有線ネットワーク６においてＲＳＶＰによる帯域設定を行うため、ＰＡＴＨメッセージを送信する（Ｓ５）。
【０１３１】
ここで、無線端末１および無線基地局３に対し送信する情報は有線帯域情報１０の一部でも良い。また、サーバ７が無線基地局３に有線帯域情報１０を送信する（Ｓ３）順番と無線端末１に有線帯域情報１０を送信する（Ｓ４）順番は問わない。
【０１３２】
つぎに、ＲＳＶＰに対応した有線ネットワーク６内の機器が、ＰＡＴＨメッセージを中継し、最終的に無線端末１までＰＡＴＨメッセージを到達させる（Ｓ６、７）。
【０１３３】
ここで、無線基地局３は、ＲＳＶＰに対応していないため、ＰＡＴＨメッセージはトンネリングされる。
【０１３４】
つぎに、ＰＡＴＨメッセージを受信した無線端末１が、サーバ７から受信した有線帯域情報１０に基づいて、コンテンツデータ送信時に必要となる有線ネットワーク６の帯域を設定するための情報をＲＥＳＶメッセージのパラメータとして設定し、ＲＥＳＶメッセージをサーバ７に送信する（Ｓ８）。
【０１３５】
ＲＥＳＶメッセージは、ＰＡＴＨメッセージが送信されたルートを逆にたどりながら有線ネットワーク６内の機器で中継され、サーバ７で受信される（Ｓ９、１０）。
【０１３６】
サーバ７および有線ネットワーク６内の全ての機器においてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ１１）。
【０１３７】
つぎに、無線基地局３が、Ｓ３でサーバ７から受信した有線帯域情報１０に基づいて、コンテンツデータの送信に必要となる帯域を無線アクセスネットワーク２において設定するための情報（無線帯域情報）を作成する（Ｓ１２）。そして作成した無線帯域情報をもとに無線端末１との間の無線アクセスネットワーク２の無線帯域設定を行う（Ｓ１３）。無線帯域情報の作成については、後に詳細に説明する。
【０１３８】
ここで、無線アクセスネットワーク２の無線帯域設定および有線ネットワーク６の有線帯域設定の設定順は問わない。つまり、無線基地局３がサーバ７から受信した有線帯域情報１０をもとに無線帯域情報を作成し、無線アクセスネットワーク２の無線帯域を設定した後、サーバ７がＰＡＴＨメッセージを無線端末１に送信し、有線ネットワーク６の有線帯域設定を行っても良い。
【０１３９】
つぎに、サーバ７からの有線帯域設定応答を受信し、かつ無線アクセスネットワーク２の無線帯域設定が完了したことを検出した無線端末１が、帯域設定が完了した旨を帯域設定完了通知としてサーバ７に対して送信する（Ｓ１４）。
【０１４０】
つぎに、帯域設定完了通知を受信したサーバ７が、送信を要求されたコンテンツデータ８の送信を無線端末１に対して開始する（Ｓ１５）。
【０１４１】
なお、無線基地局３が無線アクセスネットワーク２または有線ネットワーク６において帯域の設定が失敗したことを検出した場合、無線アクセスネットワーク２および有線ネットワーク６に設定した帯域を解放し、サーバ７はコンテンツ送信を中止する。
【０１４２】
以上説明したように、第４の発明の実施例は、サーバに格納されている有線帯域情報を用いて、無線基地局とサーバ間の有線ネットワークの帯域および無線基地局と無線端末間の無線アクセスネットワークの帯域を自動的に設定する。すなわち、第４の発明の実施例においては、サーバは複数のコンテンツデータおよびそれぞれのコンテンツデータごとに有線帯域設定を可能とする有線帯域情報を有し、無線端末よりサーバ上のコンテンツが選択されるとサーバはこれを契機に無線端末が接続する無線基地局を特定するとともに、無線端末との間の有線ネットワークに対し有線帯域情報に対応した有線帯域設定を行う。またサーバは前記無線基地局に対し有線帯域情報を送信し、前記有線帯域設定情報を受信した無線基地局は、有線帯域情報をもとに無線端末との間の無線アクセスネットワークの無線帯域を設定するために必要な無線帯域情報を作成する機能を有し、無線基地局は無線端末との間の無線アクセスネットワークにおいて、前記無線帯域情報に対応した無線帯域設定を行う。無線基地局が無線アクセスネットワークおよび有線ネットワークにおいて帯域の設定が完了したことを検出した場合、サーバは無線端末に対し該コンテンツデータの送信を開始する。また無線基地局が無線アクセスネットワークまたは有線ネットワークにおいて帯域の設定が失敗したことを検出した場合、無線アクセスネットワークおよび有線ネットワークに設定した帯域を解放し、サーバはコンテンツ送信を中止する。これにより、無線端末からのコンテンツ選択を契機にコンテンツデータごとの帯域を有線帯域情報をもとに無線アクセスネットワークおよび有線ネットワークに設定することで、無線端末とサーバ間のエンド-エンドのネットワーク帯域を自動的に設定することが可能となる。
【０１４３】
第４の発明に係る実施例によれば、無線端末からのコンテンツ選択を契機に、無線端末とサーバ間のエンド−エンドのネットワーク帯域をコンテンツデータ受信に必要な帯域だけ動的に設定することができる。
【実施例５】
【０１４４】
つぎに、第５の発明の実施例に係る帯域設定方法について説明する。
【０１４５】
図６は、第５の発明の実施例に係る帯域設定方法を適用されたコンテンツ提供システムの全体構成を示す図である。
【０１４６】
図６に示すように、第５の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【０１４７】
サーバ７には、インターネットテレビやインターネットラジオなどの複数のコンテンツデータ８と、データベース９と、複数の有線帯域情報１０と、が格納されている。また、サーバ７は、コンテンツデータ８の配信レートを変更できる配信レート管理機能１１を備えている。
【０１４８】
ここで、コンテンツデータ８は、配信レートを変更できるマルチビットレート型コンテンツであり、有線帯域情報１０とは、複数のコンテンツデータ８における各コンテンツデータの送信に必要となる有線ネットワークの帯域設定に関する情報をいう。第５の発明に係る実施例においては、有線帯域情報１０にコンテンツデータ８ごとに変更できる配信レート幅の情報が含まれている。
【０１４９】
また、データベース９には、各コンテンツデータと各有線帯域情報との対応関係が記されている。
【０１５０】
つぎに、第５の発明の実施例に係る帯域設定方法を簡単に説明する。
【０１５１】
図６の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【０１５２】
無線端末１からコンテンツデータ送信要求を受信したサーバ７は、この受信を契機として、無線端末１が接続する無線基地局３を特定する。また、送信を要求されたコンテンツデータ８に対応する有線帯域情報１０をデータベース９を用いて選択し、この選択した有線帯域情報１０（またはその一部の情報）を無線基地局３に対して送信する。なお、有線帯域情報１０には有線ネットワーク６において設定する有線帯域の値に関する情報（設定帯域値）が含まれているが、ここでは、コンテンツデータ８の配信レートを最大にする帯域値が設定帯域値として設定されている。
【０１５３】
また、サーバ７は、無線基地局３との間の有線ネットワーク６に対し、選択した有線帯域情報１０に対応した有線帯域を設定する。具体的には、無線基地局３、サーバ７および有線ネットワーク６に属する有線ネットワーク機器（エッジルータ４、エッジルータ５を含む）は、無線基地局３とサーバ７との間の有線ネットワーク６においてコンテンツデータ配信時（マルチキャスト配信も可）に必要となる帯域を一貫して確保する。
【０１５４】
なお、第５の発明の実施例における無線基地局３、サーバ７、および有線ネットワーク６に属する有線ネットワーク機器は、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ただし、本発明は、有線ネットワーク６で一貫した帯域確保を行う方法を、ＲＳＶＰを用いた方法に限定するものではない。
【０１５５】
サーバ７から有線帯域情報１０を受信した無線基地局３は、この受信した有線帯域情報１０（またはその一部の情報）を用いて、無線帯域情報を作成する。ここで、無線帯域情報とは、当該送信を要求しているコンテンツデータの送信（マルチキャスト送信も可）に必要となる無線帯域を無線アクセスネットワーク２において設定するための情報をいう。
【０１５６】
無線基地局３は、この作成した無線帯域情報に基づいて、コンテンツデータの送信に必要な無線アクセスネットワーク２の帯域を設定する。
【０１５７】
無線基地局３は、無線アクセスネットワーク２または有線ネットワーク６における帯域の設定が失敗したことを検出した場合、サーバ７に帯域設定の失敗を帯域設定失敗通知として送信する。
【０１５８】
ここで、この帯域設定失敗通知には、帯域設定が失敗した無線アクセスネットワーク２または有線ネットワーク６において設定可能な帯域の情報である設定可能帯域値が含まれている。
【０１５９】
帯域設定失敗通知を受信したサーバ７は、設定可能帯域値が有線帯域情報１０に含まれる配信レート幅の範囲内であるか判定を行い、配信レート幅に含まれる場合は、配信レート管理機能１１により配信レートを設定可能帯域値に対応する配信レートに変更するとともに、有線帯域情報１０の設定帯域値を設定可能帯域値に変更する。
【０１６０】
また、サーバ７は、変更された有線帯域情報１０をもとに再度有線ネットワーク６および無線アクセスネットワーク２の帯域設定を行う。
【０１６１】
つぎに、第５の発明の実施例に係る帯域設定方法を詳細に説明する。
【０１６２】
図７は、第５の発明の実施例に係る帯域設定方法を説明するためのシーケンス図である。
【０１６３】
まず、ユーザまたはアプリケーションなどが、インターネットテレビやインターネットラジオなどのコンテンツデータ８を無線端末１上で選択する。
【０１６４】
つぎに、無線端末１が、選択されたコンテンツデータ８の送信を要求するコンテンツデータ送信要求をサーバ７に対して送信する（Ｓ１）。
【０１６５】
つぎに、無線端末１からコンテンツデータ送信要求を受信したサーバ７が、当該送信を要求されたコンテンツデータ８の送信に必要な有線帯域情報１０をデータベース９を用いて選択する。また、サーバ７が、無線端末１が接続する無線基地局３を特定し（Ｓ２）、この特定した無線基地局３に対して、選択した有線帯域情報１０を送信する（Ｓ３）。ここで、コンテンツデータ８は配信レートを変更できるマルチビットレート型コンテンツであり、また、有線帯域情報１０には変更できる配信レート幅の情報が含まれている。また、有線帯域情報１０に含まれる設定帯域値には、配信レートを最大にする値が設定されている。なお、無線基地局３に対し送信する情報は有線帯域情報１０の一部でもよい。
【０１６６】
この後の有線ネットワーク６および無線アクセスネットワーク２の帯域設定は、実施例１の場合と同様に行われる（Ｓ４〜Ｓ１２）
無線基地局３は、無線アクセスネットワーク２または有線ネットワーク６における帯域の設定が失敗したことを検出した場合、サーバ７に帯域設定の失敗を帯域設定失敗通知として送信する（Ｓ１３）。ここで、この帯域設定失敗通知には、上記したように、帯域設定が失敗した無線アクセスネットワーク２または有線ネットワーク６において設定可能な帯域の情報である設定可能帯域値が含まれている。
【０１６７】
帯域設定失敗通知を受信したサーバ７は、設定可能帯域値が有線帯域情報１０に含まれる配信レート幅の範囲内であるか判定を行い（Ｓ１４）、配信レート幅に含まれる場合は、配信レート管理機能１１により配信レートを設定可能帯域値に対応する配信レートに変更する（Ｓ１５）とともに、有線帯域情報１０の設定帯域値を設定可能帯域値に変更する（Ｓ１６）。
【０１６８】
つぎに、変更された有線帯域情報１０に基づいて、再度、有線ネットワーク６および無線アクセスネットワーク２の帯域設定が行われる（Ｓ１７〜Ｓ２６）。この帯域設定手順は、Ｓ３〜Ｓ１２と同様である。
【０１６９】
つぎに、サーバ７からの有線帯域設定応答を受信し、かつ無線アクセスネットワーク２の無線帯域設定が完了したことを検出した無線基地局３が、帯域設定が完了した旨を帯域設定完了通知としてサーバ７に対して送信する（Ｓ２７）。
【０１７０】
そして、帯域設定完了通知を受信したサーバ７が、前記送信を要求されたコンテンツデータ８の送信を無線端末１に対して変更された配信レートで開始する（Ｓ２８）。
【０１７１】
以上説明したように、第５の発明の実施例は、第１〜４のいずれかの発明の実施例において、コンテンツデータは配信レートを変更できるマルチビットレート型コンテンツであり、有線帯域情報はコンテンツデータごとに変更できる配信レート幅の情報を含み、サーバはコンテンツデータの配信レートを変更できる配信レート管理機能を有する。無線端末よりコンテンツが選択された場合、最大の配信レートによる帯域設定を行う。無線基地局または無線端末が無線アクセスネットワークまたは有線ネットワークにおいて帯域の設定が失敗したことを検出した場合、無線基地局または無線端末がサーバに帯域設定の失敗を通知する機能を有し、前記通知は帯域設定が失敗した無線アクセスネットワークまたは有線ネットワークに対し、設定可能な帯域の情報である設定可能帯域値を含む。通知を受信したサーバは、設定可能帯域値が有線帯域情報に含まれる配信レート幅の範囲内であるか判定を行い、配信レート幅に含まれる場合は、配信レート管理機能により配信レートを前記設定可能帯域値に変更するとともに、有線帯域情報の設定帯域値を設定可能帯域値に変更する。サーバと無線基地局または無線端末は変更された有線帯域情報をもとに再度有線ネットワークおよび無線アクセスネットワークの帯域設定を行う。無線基地局または無線端末が無線アクセスネットワークおよび有線ネットワークにおいて帯域の設定が完了したことを検出した場合、サーバは無線端末に対し前記配信レートによるコンテンツデータの送信を開始する。これにより、帯域の設定に失敗した場合でも現在設定可能な帯域で帯域の再設定を行い、コンテンツの配信を行うことが可能となる。
【０１７２】
このように、第５の発明に係る実施例は、無線端末１からサーバ７へのコンテンツデータ送信要求があった場合、コンテンツデータの配信レートが最大となるように、無線端末１とサーバ７間のエンド−エンドのネットワーク帯域の設定を試みる。そして、第５の発明に係る実施例は、コンテンツデータの配信レートを最大にする帯域の設定に失敗した場合は、設定可能な帯域の範囲内での最大配信レートに対応する帯域を無線ネットワーク２および有線ネットワーク６に動的に設定し、この最大配信レートでコンテンツ配信を行う。
【実施例６】
【０１７３】
つぎに、第６の発明の実施例に係る帯域設定方法について説明する。
【０１７４】
図８は、第６の発明の実施例に係る帯域設定方法を適用されたコンテンツ提供システムの全体構成を示す図である。
【０１７５】
図８に示すように、第６の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【０１７６】
無線基地局３には、無線アクセスネットワーク２の帯域状況を把握可能な無線帯域監視機能１２が備えられている。
【０１７７】
サーバ７には、インターネットテレビやインターネットラジオなどの複数のコンテンツデータ８と、データベース９と、複数の有線帯域情報１０と、が格納されている。また、サーバ７は、コンテンツデータ８の配信レートを変更できる配信レート管理機能１１と、有線ネットワーク６の帯域状況を把握可能な有線帯域監視機能１３と、無線帯域監視機能１２および有線帯域監視機能１３と通信し無線アクセスネットワーク２および有線ネットワーク６の両方の帯域状況を管理可能な帯域管理機能１４と、を備えている。
【０１７８】
ここで、コンテンツデータ８は、配信レートを変更できるマルチビットレート型コンテンツであり、有線帯域情報１０とは、複数のコンテンツデータ８における各コンテンツデータの送信に必要となる有線ネットワークの帯域設定に関する情報をいう。第６の発明に係る実施例においては、有線帯域情報１０にコンテンツデータ８ごとに変更できる配信レート幅の情報が含まれている。
【０１７９】
また、データベース９には、各コンテンツデータと各帯域情報との対応関係が記されている。
【０１８０】
つぎに、第６の発明の実施例に係る帯域設定方法を簡単に説明する。
【０１８１】
帯域管理機能１４は、無線帯域監視機能１２および有線帯域監視機能１３と通信を行うことによって、無線アクセスネットワーク２および有線ネットワーク６の帯域状況を把握している。
【０１８２】
無線端末１がコンテンツデータ８の受信を希望する場合、無線端末１はサーバ７にあるコンテンツデータ８を選択する。サーバ７はコンテンツデータ８を受信するために必要な有線帯域情報１０をデータベース９を用いて特定する。ここでコンテンツデータ８は配信レートを変更できるマルチビットレート型コンテンツであり、有線帯域情報１０は変更できる配信レート幅Ｒの情報を含む。
【０１８３】
帯域管理機能１４は、この有線帯域情報１０の配信レート幅Ｒと無線帯域監視機能１２および有線帯域監視機能１３から得た帯域状況から現在設定できる最大の配信レートＲ（１）を算出する。
【０１８４】
そして、帯域管理機能１４は、有線帯域情報１０の配信レート情報を配信レートＲ（１）に設定するとともに、配信レート管理機能１１においてコンテンツの配信レートを配信レートＲ（１）に設定する。
【０１８５】
サーバ７は、無線端末１が接続する無線基地局３を特定し、特定した無線基地局３に対して有線帯域情報１０を送信する。ここで、無線基地局３に対し送信する情報は有線帯域情報１０の一部でも良い。
【０１８６】
この後の有線ネットワーク６および無線アクセスネットワーク２の帯域設定は、第１の発明の実施例の場合と同様である。
【０１８７】
無線アクセスネットワーク２の無線帯域設定および有線ネットワーク６の有線帯域設定が完了したことを検出した無線基地局３は、帯域設定が完了した旨を帯域設定完了通知としてサーバ７に送信する。
【０１８８】
帯域設定完了通知を受信したサーバ７は、無線端末１に対し、選択されたコンテンツデータ８の送信を配信レート管理機能１１に設定した配信レートＲ（１）で開始する。
【０１８９】
つぎに、第６の発明の実施例に係る帯域設定方法を詳細に説明する。
【０１９０】
図９は、第６の発明の実施例に係る帯域設定方法を説明するためのシーケンス図である。
【０１９１】
まず、無線基地局３の無線帯域監視機能１２が、無線アクセスネットワーク２を監視して得た無線帯域状況を、サーバ７に送信する（Ｓ１）。
【０１９２】
つぎに、サーバ７の有線帯域監視機能１３が、有線ネットワーク６を監視して得た有線帯域状況を、サーバ７の帯域管理機能１４に送信する（Ｓ２）。
【０１９３】
つぎに、帯域管理機能１４が、無線帯域監視機能１２から受信した無線帯域状況および有線帯域監視機能１３から受信した有線帯域状況によって、無線アクセスネットワーク２および有線アクセスネットワーク６の帯域状況を把握する（Ｓ３）。
【０１９４】
つぎに、ユーザまたはアプリケーションなどが、インターネットテレビやインターネットラジオなどの送信を希望するコンテンツデータ８を無線端末１上で選択する。
【０１９５】
つぎに、無線端末１が、選択されたコンテンツデータ８の送信を要求するコンテンツデータ送信要求をサーバ７に対して送信する（Ｓ４）。
【０１９６】
つぎに、サーバ７の帯域管理機能１４が、無線端末１から送信を要求されたコンテンツデータ８を受信するために必要な有線帯域情報１０をデータベース９を用いて選択し、この選択した有線帯域情報１０の配信レート幅Ｒと無線帯域監視機能１２および有線帯域監視機能１３から得た帯域状況から現在設定できる最大の配信レートＲ（１）を算出する（Ｓ５）。
【０１９７】
つぎに、サーバ７の帯域管理機能１４が、有線帯域情報１０の配信レート情報を配信レートＲ（１）に設定する（Ｓ６）とともに、配信レート管理機能１１においてコンテンツの配信レートを配信レートＲ（１）に設定する（Ｓ７）。
【０１９８】
つぎに、サーバ７が、無線端末１が接続する無線基地局３を特定し（Ｓ８）、特定した無線基地局３に対して配信レート情報をＲ（１）に設定した有線帯域情報１０を送信する（Ｓ９）。
ここで、コンテンツデータ８は配信レートを変更できるマルチビットレート型コンテンツであり、また、有線帯域情報１０には変更できる配信レート幅の情報が含まれている。また、有線帯域情報１０に含まれる設定帯域値には、配信レートをＲ（１）にする帯域の値が設定されている。なお、無線基地局３に対し送信する情報は、有線帯域情報１０の一部でもよい。
【０１９９】
この後の有線ネットワーク６および無線アクセスネットワーク２の帯域設定は、第１の発明の実施例の場合と同様である（Ｓ９〜Ｓ１８）。
【０２００】
つぎに、サーバ７からの有線帯域設定応答を受信し、かつ無線アクセスネットワーク２の無線帯域設定が完了したことを検出した無線基地局３が、帯域設定が完了した旨を帯域設定完了通知としてサーバ７に対して送信する（Ｓ１９）。
【０２０１】
そして、帯域設定完了通知を受信したサーバ７が、前記送信を要求されたコンテンツデータ８の送信を無線端末１に対して配信レート管理機能１１に設定した（Ｓ７）配信レートＲ（１）で開始する（Ｓ２０）。
【０２０２】
以上説明したように、第６の発明の実施例は、第１〜４のいずれかの発明の実施例において、無線基地局は無線アクセスネットワークの帯域状況を監視できる無線帯域監視機能を有し、サーバは有線ネットワークの帯域状況を監視できる有線帯域監視機能を有する。サーバは無線帯域監視機能および有線帯域監視機能と通信し、無線アクセスネットワークおよび有線ネットワークの帯域状況を管理できる帯域管理機能を有する。コンテンツデータは配信レートを変更できるマルチビットレート型コンテンツであり、有線帯域情報はコンテンツデータごとに変更できる配信レート幅の情報を含み、サーバはコンテンツデータの配信レートを変更できる配信レート管理機能を有する。無線端末よりコンテンツが選択された場合、サーバは帯域管理機能より無線アクセスネットワークおよび有線ネットワークに設定可能な帯域である設定可能帯域値を算出し、設定可能帯域値が有線帯域情報に含まれる配信レート幅の範囲内であれば、設定可能帯域値で有線ネットワークおよび無線アクセスネットワークの帯域設定を行うとともに配信レート管理機能において配信レートを設定可能帯域値に変更する。無線端末または無線基地局が無線アクセスネットワークおよび有線ネットワークにおいて帯域の設定が完了したことを検出した場合、サーバは無線端末に対し設定した配信レートでコンテンツデータの送信を開始する。これにより、無線アクセスネットワークおよび有線ネットワークで帯域設定可能な最大配信レートでコンテンツの配信を行うことが可能となる。
【０２０３】
このように、第６の発明に係る実施例によれば、無線端末１とサーバ７間のエンド−エンドのネットワークにおいて、無線端末１からのコンテンツ選択を契機に、現在設定可能な帯域の範囲内での最大配信レートに対応する帯域を無線ネットワーク２および有線ネットワーク６に動的に設定し、この現在設定可能な帯域の範囲内での最大配信レートでコンテンツ配信を行うことができる。
【実施例７】
【０２０４】
つぎに、第７の発明の実施例に係る帯域設定方法について説明する。
【０２０５】
第７の発明の実施例に係る帯域設定方法を適用されたコンテンツ提供システムの構成は、第６の発明の実施例に係る帯域設定方法を適用されたコンテンツ提供システムの構成と同様であるので、説明を省略する。
【０２０６】
第７の発明の実施例においては、サーバ７の帯域管理機能１４は、コンテンツデータ送信中、無線帯域監視機能１２および有線帯域監視機能１３と通信を行い、無線アクセスネットワーク２および有線ネットワーク６の帯域状況を管理する。
【０２０７】
サーバ７の帯域管理機能１４は、無線アクセスネットワーク２および有線ネットワーク６の設定帯域を増加可能であり且つ配信レートをＲ（２）に増加可能と判断した場合、有線帯域情報１０の配信レート情報を配信レートＲ（２）に再設定し、無線アクセスネットワーク２および有線ネットワーク６の設定帯域をＲ（２）に再設定する。
【０２０８】
無線アクセスネットワーク２の無線帯域設定および有線ネットワーク６の有線帯域設定が完了したことを検出した無線基地局３は、帯域設定が完了した旨を帯域設定完了通知としてサーバ７に送信し、帯域設定完了通知を受信したサーバ７は、帯域管理機能１４で再設定した配信レートＲ（２）でのコンテンツ配信を配信レート管理機能１１に再設定し、配信レートＲ（２）でコンテンツデータ８の配信を開始する。
【０２０９】
つぎに、第７の発明の実施例に係る帯域設定方法を詳細に説明する。
【０２１０】
図１０は、第７の発明の実施例に係る帯域設定方法を説明するためのシーケンス図である。
【０２１１】
無線端末１がコンテンツデータ８を受信する際、有線帯域情報１０を用い有線ネットワーク６および無線アクセスネットワーク２の帯域を設定し、サーバ７がコンテンツデータ８を送信するまでの動作は、第６の発明の実施例の場合と同様である（Ｓ１〜Ｓ２０）。
【０２１２】
つぎに、コンテンツデータ送信中に、無線基地局３の無線帯域監視機能１２が、無線アクセスネットワーク２を監視して得た無線帯域状況を、サーバ７に対して送信する（Ｓ２１）。
【０２１３】
つぎに、コンテンツデータ送信中に、サーバ７の有線帯域監視機能１３が、有線ネットワーク６を監視して得た有線帯域状況を、サーバ７の帯域管理機能１４に送信する（Ｓ２２）。
【０２１４】
つぎに、帯域管理機能１４が、無線帯域監視機能１２から受信した無線帯域状況および有線帯域監視機能１３から受信した有線帯域状況によって、コンテンツデータ送信中における無線アクセスネットワーク２および有線アクセスネットワーク６の帯域状況を把握する（Ｓ２３）。
【０２１５】
つぎに、サーバ７の帯域管理機能１４は、無線アクセスネットワーク２および有線ネットワーク６の設定帯域を増加可能であり且つ配信レートをＲ（２）に増加可能と判断した場合（Ｓ２４）、有線帯域情報１０の配信レート情報を配信レートＲ（２）に再設定する（Ｓ２５）。
【０２１６】
つぎに、配信レート情報が配信レートＲ（２）に再設定された有線帯域情報１０に基づいて、再度、有線ネットワーク６および無線アクセスネットワーク２の帯域設定が行われる（Ｓ２６〜Ｓ３５）。この帯域設定手順は、Ｓ９〜Ｓ１８と同様である。
【０２１７】
つぎに、サーバ７からの有線帯域設定応答を受信し且つ無線アクセスネットワーク２の帯域設定が完了したことを検出した無線基地局３が、帯域設定が完了した旨を帯域設定完了通知としてサーバ７に対して送信する（Ｓ３６）。
【０２１８】
つぎに、サーバ７の配信レート管理機能１１が、コンテンツデータの配信レートをＲ（２）に再設定する（Ｓ３７）。
【０２１９】
そして、帯域設定完了通知を受信したサーバ７が、前記送信を要求されたコンテンツデータ８の送信を無線端末１に対して変更された配信レートＲ（２）で開始する（Ｓ３８）。
【０２２０】
なお、本発明においては、配信レート管理機能による配信レートの再設定（Ｓ３７）を帯域の再設定（Ｓ２６〜Ｓ３６）の前に行うことも可能である。ただし、上記した実施例のように、配信レート管理機能による配信レートの再設定（Ｓ３７）を帯域の再設定（Ｓ２６〜Ｓ３６）の後に行えば、配信レートを上げたがこの配信レートに対応する帯域がネットワークに確保されておらず、その結果、ネットワークが混雑し、データの遅延・廃棄等によりコンテンツの品質が劣化してしまうという事態を防止することができる。
【０２２１】
以上説明したように、第７の発明の実施例は、第６の発明の実施例において、コンテンツデータ送信中、帯域管理機能は無線帯域監視機能および有線帯域監視機能と通信を行い無線アクセスネットワークおよび有線ネットワークの帯域状況を管理する。帯域管理機能が無線アクセスネットワークおよび有線ネットワークの設定帯域を増やすことが可能と判断した場合、帯域管理機能は有線帯域情報に含まれる配信レート幅と配信レート管理機能より現在の配信レートを比較し、配信レート幅内で配信レートを上げられると判断した場合、有線帯域情報に含まれる帯域の設定情報を変更するとともに、有線帯域情報をもとに無線アクセスネットワークおよび有線ネットワークの設定帯域の変更を行う。無線端末または無線基地局が無線アクセスネットワークおよび有線ネットワークにおいて帯域の設定が完了したことを検出した場合、サーバは配信レート管理機能より配信レートを上げ、無線端末に対しコンテンツデータの送信を開始する。これにより、無線アクセスネットワークおよび有線ネットワークの帯域状況にあわせてコンテンツデータの配信レートを上げることが可能となる。
【０２２２】
このように、第７の発明に係る実施例によれば、無線アクセスネットワーク２および有線ネットワーク６の帯域状況からみて配信レートを増加可能な場合は、ネットワークの設定帯域を動的に再設定し、配信レートを上げてコンテンツ配信を行うことができる。
【実施例８】
【０２２３】
つぎに、第９の発明の実施例に係る帯域設定方法について説明する。
【０２２４】
第９の発明の実施例に係る帯域設定方法を適用されたコンテンツ提供システムの構成は、第６の発明の実施例に係る帯域設定方法を適用されたコンテンツ提供システムの構成と同様であるので、説明を省略する。
【０２２５】
第９の発明の実施例においては、帯域管理機能１４が、コンテンツデータ送信中、無線帯域監視機能１２および有線帯域監視機能１３と通信を行い、無線アクセスネットワーク２および有線ネットワーク６の帯域状況を管理している。
【０２２６】
帯域管理機能１４は、無線アクセスネットワーク２または有線ネットワーク６において設定帯域の確保が困難であり、配信レートＲ（１）を有線帯域情報１０の配信レート幅Ｒの範囲内で下げることが可能と判断した場合、有線帯域情報１０の配信レート情報を配信レートＲ（３）に再設定するとともに、コンテンツデータ８の配信レートを配信レートＲ（３）に設定する。
【０２２７】
配信レートＲ（３）での配信を設定された配信レート管理機能１１は、配信レートＲ（３）でコンテンツデータ８の配信を開始する。
【０２２８】
また、サーバ７は、無線アクセスネットワーク２および有線ネットワーク６の設定帯域をＲ（３）に再設定する。
【０２２９】
無線アクセスネットワーク２の無線帯域設定および有線ネットワーク６の有線帯域設定が完了したことを検出した無線基地局３は、帯域設定が完了した旨を帯域設定完了通知としてサーバ７に送信する。
【０２３０】
つぎに、第９の発明の実施例に係る帯域設定方法を詳細に説明する。
【０２３１】
図１１は、第９の発明の実施例に係る帯域設定方法を説明するためのシーケンス図である。
【０２３２】
無線端末１がコンテンツデータ８を受信する際、有線帯域情報１０を用い有線ネットワーク６および無線アクセスネットワーク２の帯域を設定し、サーバ７がコンテンツデータ８を送信するまでの動作は、第６の発明の実施例の場合と同様である（Ｓ１〜Ｓ２０）。
【０２３３】
つぎに、コンテンツデータ送信中に、無線基地局３の無線帯域監視機能１２が、無線アクセスネットワーク２を監視して得た無線帯域状況を、サーバ７に対して送信する（Ｓ２１）。
【０２３４】
つぎに、コンテンツデータ送信中に、サーバ７の有線帯域監視機能１３が、有線ネットワーク６を監視して得た有線帯域状況を、サーバ７の帯域管理機能１４に送信する（Ｓ２２）。
【０２３５】
つぎに、帯域管理機能１４が、無線帯域監視機能１２から受信した無線帯域状況および有線帯域監視機能１３から受信した有線帯域状況によって、コンテンツデータ送信中における無線アクセスネットワーク２および有線アクセスネットワーク６の帯域状況を把握する（Ｓ２３）。
【０２３６】
つぎに、サーバ７の帯域管理機能１４は、無線アクセスネットワーク２または有線ネットワーク６において設定帯域の確保が困難であり、配信レートＲ（１）を有線帯域情報１０の配信レート幅Ｒの範囲内で下げることが可能と判断した場合（Ｓ２４）、有線帯域情報１０の配信レート情報を配信レートＲ（３）に再設定する（Ｓ２５）。
【０２３７】
つぎに、配信レート管理機能１１は、コンテンツデータ８の配信レートを配信レートＲ（３）に再設定する（Ｓ２６）。
【０２３８】
つぎに、サーバ７は、配信レートＲ（３）でコンテンツデータ８の配信を開始する（Ｓ２７）。
【０２３９】
つぎに、配信レート情報が配信レートＲ（３）に再設定された有線帯域情報１０に基づいて、再度、有線ネットワーク６および無線アクセスネットワーク２の帯域設定が行われる（Ｓ２８〜Ｓ３７）。この帯域設定手順は、Ｓ９〜Ｓ１８と同様である。
【０２４０】
つぎに、サーバ７からの有線帯域設定応答を受信し且つ無線アクセスネットワーク２の帯域設定が完了したことを検出した無線基地局３が、帯域設定が完了した旨を帯域設定完了通知としてサーバ７に対して送信する（Ｓ３８）。
【０２４１】
なお、本発明においては、配信レート管理機能による配信レートの再設定（Ｓ２６）を帯域の再設定（Ｓ２８〜Ｓ３８）の後に行うことも可能である。ただし、上記した実施例のように、配信レート管理機能による配信レートの再設定（Ｓ２６）を帯域の再設定（Ｓ２８〜Ｓ３８）の前に行えば、ネットワークの混雑状況に応じて、配信レートを迅速に下げることができる。
【０２４２】
以上説明したように、第９の発明の実施例は、第６の発明の実施例において、コンテンツデータ送信中、帯域管理機能は無線帯域監視機能および有線帯域監視機能と通信を行い無線アクセスネットワークおよび有線ネットワークの帯域状況を管理する。帯域管理機能が無線アクセスネットワークまたは有線ネットワークにおいて設定帯域の確保が困難であると判断した場合、帯域管理機能は有線帯域情報に含まれる配信レート幅と配信レート管理機能より現在の配信レートを比較し、配信レート幅内で配信レートを下げられると判断した場合、サーバは配信レート管理機能より配信レートを下げるとともに、有線帯域情報に含まれる帯域の設定情報を変更し、前記有線帯域情報をもとに無線アクセスネットワークおよび有線ネットワークの設定帯域の変更を行う。これにより、無線アクセスネットワークまたは有線ネットワークの帯域状況にあわせてコンテンツデータの配信レートを下げることが可能となる。
【０２４３】
このように、第９の発明に係る実施例によれば、無線アクセスネットワーク２および有線ネットワーク６の帯域状況からみて設定帯域の確保が困難である場合に、コンテンツデータの配信レートを下げるとともにネットワークの設定帯域を再設定することで帯域の有効利用を可能とする。
【実施例９】
【０２４４】
つぎに、第１１の発明の実施例に係る帯域設定方法について説明する。
【０２４５】
第１１の発明の実施例に係る帯域設定方法を適用されたコンテンツ提供システムの構成は、第１の発明の実施例に係る帯域設定方法を適用されたコンテンツ提供システムの構成と同様であるので、説明を省略する。
【０２４６】
つぎに、第１１の発明の実施例に係る帯域設定方法を詳細に説明する。
【０２４７】
図１２は、第１１の発明の実施例に係る帯域設定方法を説明するためのシーケンス図である。
【０２４８】
第１１の発明の実施例におけるＳ１〜Ｓ１４は、第１の発明の実施例におけるＳ１〜Ｓ１４と同様であるので、説明を省略する。
【０２４９】
無線端末１は、コンテンツデータ８を受信中、受信の停止を検出した場合（Ｓ１５）、無線基地局３に対し無線帯域変更要求を送信する（Ｓ１６）。ここで、無線帯域変更要求とは、無線アクセスネットワーク２における無線基地局３と無線端末１との間の無線帯域を無線基地局３が無線帯域情報に基づいて設定した無線帯域から無線基地局３が無線帯域情報に基づいて設定する前の無線帯域へ変更することを要求する信号である。
【０２５０】
無線帯域変更要求を受信した無線基地局３は、無線端末１との間の無線アクセスネットワーク２の帯域を無線帯域情報に基づいて設定する前の帯域へ変更する（Ｓ１７）。ここで、無線帯域情報に基づいて設定する前の帯域が解放状態であった場合、無線基地局３は、無線アクセスネットワーク２の帯域を解放することとなる。
【０２５１】
有線ネットワーク６の各機器は、ＲＳＶＰにより帯域設定を行っているが、ＲＳＶＰでは定期的にメッセージの送受信を行い各機器の状態を更新している。よって予め定められた時間以上コンテンツデータの受信が行われない場合、有線ネットワーク６の各機器は、自動的に有線帯域の解放を行い（Ｓ１８）、ネットワーク状態をＲＳＶＰによる帯域設定以前の状態に戻す。
【０２５２】
以上説明したように、第１１の発明の実施例は、第１の発明の実施例〜第９の発明の実施例において、無線アクセスネットワークおよび有線ネットワークの帯域設定が完了し、サーバが無線端末に対し該コンテンツデータの送信を開始した後、サーバが送信しているコンテンツデータを無線端末が受信している状態において、無線端末が、前記コンテンツデータの受信を停止したことを検出した場合、無線基地局は、無線端末との間の無線アクセスネットワークの帯域を無線帯域情報に対応した帯域に設定する前の帯域に変更する。有線ネットワークはコンテンツデータの受信を停止したことを検出した後、予め定められた時間以上コンテンツデータの受信が行われない場合、確保していた有線帯域を解放する。これにより、コンテンツデータの受信が停止した後、帯域設定前のネットワーク状態に戻ることが可能となる。
【０２５３】
このように、第１１の発明の実施例によれば、コンテンツデータの受信が停止した後、ネットワーク状態を帯域設定前の状態に自動的に戻すことができる。
【実施例１０】
【０２５４】
つぎに、第１２の発明の実施例に係る帯域設定方法について説明する。
【０２５５】
図１３は、第１２の発明の実施例に係る帯域設定方法を適用されたコンテンツ提供システムの全体構成を示す図である。
【０２５６】
第１２の発明の実施例に係る帯域設定方法を適用されたコンテンツ提供システムの構成は、第１の発明の実施例に係る帯域設定方法を適用されたコンテンツ提供システムの構成に加えて、次の構成を備えている。
【０２５７】
すなわち、有線帯域情報１０は、有線ネットワーク６および無線アクセスネットワーク２の帯域の確保時間を設定可能とする帯域確保時間情報１５を含む。
【０２５８】
また、無線基地局３は、サーバ７から受信した有線帯域情報１０（またはその一部の情報）をもとに、コンテンツデータ配信時（マルチキャスト配信も可）に必要となる無線アクセスネットワーク２の帯域および帯域確保時間を設定するために必要な無線帯域情報を作成する機能を有し、無線帯域情報をもとに該コンテンツデータ配信に必要な無線アクセスネットワーク２の帯域および帯域確保時間を設定する機能を有する。
【０２５９】
さらに、無線基地局３は、サーバ７が無線端末１へのコンテンツ送信を開始すると同時に、帯域確保時間を計測するタイマー１６を有し、タイマーが終了したことを検出した場合、サーバ７に対しコンテンツ送信停止を要求するコンテンツ送信停止要求を送信するとともに、無線端末１との間の無線アクセスネットワーク２の無線帯域を無線帯域情報に基づいて設定した無線帯域から無線帯域情報に基づいて設定する前の無線帯域へ変更する機能を有する。
【０２６０】
つぎに、第１２の発明の実施例に係る帯域設定方法を詳細に説明する。
【０２６１】
図１４は、第１２の発明の実施例に係る帯域設定方法を説明するためのシーケンス図である。
【０２６２】
第１２の発明の実施例におけるＳ１〜Ｓ１４は、第１の発明の実施例におけるＳ１〜Ｓ１４と同様であるので（ただし、無線帯域情報に無線アクセスネットワーク２の帯域の確保時間を設定可能とする帯域確保時間情報１５が含まれている点で相違する。）、説明を省略する。
【０２６３】
サーバ７から無線端末１へのコンテンツ送信開始を検出した無線基地局３は、帯域確保時間情報１５の時間を計測するタイマー１６をスタートさせる（Ｓ１５）。
【０２６４】
無線基地局３は、タイマーが終了したことを検出した場合（Ｓ１６）、サーバ７に対しコンテンツの送信を停止するコンテンツ送信停止要求を送信する（Ｓ１７）とともに、無線端末１との間の無線アクセスネットワーク２の無線帯域を無線帯域情報に基づいて設定した無線帯域から無線帯域情報に基づいて設定する前の無線帯域へ変更する（Ｓ１８）。ここで、無線帯域情報に基づいて設定する前の帯域が解放状態であった場合、無線基地局３は、無線アクセスネットワーク２の帯域を解放することとなる。
【０２６５】
なお、無線基地局３がサーバ７に対しコンテンツ送信停止要求を送信する（Ｓ１７）順番と無線アクセスネットワーク２の無線帯域を変更する（Ｓ１８）順番は問わない。
【０２６６】
コンテンツ送信停止要求を受信したサーバ７は、コンテンツの送信を停止する（Ｓ１９）。ここで、有線ネットワーク６の各機器はＲＳＶＰにより帯域設定を行っているが、ＲＳＶＰでは定期的にメッセージの送受信を行い各機器の状態を更新している。有線ネットワーク６の各機器は、予め定められた時間以上コンテンツデータの受信が行われない場合、自動的に帯域の解放を行い（Ｓ２０）、ネットワーク状態をＲＳＶＰによる帯域設定以前の状態に戻す。
【０２６７】
以上説明したように、第１２の発明の実施例は、第１の発明の実施例〜第９の発明の実施例において、有線帯域情報は、これをもとに設定する有線ネットワークおよび無線アクセスネットワークの帯域の確保時間を設定可能とする帯域確保時間情報を含み、無線端末または無線基地局が無線帯域情報を作成する際、無線アクセスネットワークの無線帯域に加え、帯域確保時間情報をもとに帯域確保時間も設定可能とする無線帯域情報を作成する機能を有し、無線帯域情報をもとに無線基地局は無線端末との間の無線アクセスネットワークの無線帯域および帯域確保時間の設定を行う。無線基地局または無線端末が無線アクセスネットワークおよび有線ネットワークにおいて帯域の設定が完了したことを検出した場合、サーバは無線端末に対し該コンテンツデータの送信を開始し、無線基地局は前記コンテンツデータの無線端末への送信を開始すると同時に、帯域確保時間を計測するタイマーをスタートさせる。タイマーが終了したことを検出した時は、サーバに対しコンテンツ送信停止要求を送信するとともに、無線端末との間の無線アクセスネットワークの帯域を無線帯域情報に基づいて設定した帯域から無線帯域情報に基づいて設定する前の帯域に変更し、前記コンテンツ送信停止要求を受信したサーバはコンテンツ送信を停止する。有線ネットワークはコンテンツデータの受信を停止したことを検出した後、予め定められた時間以上コンテンツデータの受信が行われない場合、確保していた有線帯域を解放する。これにより帯域確保時間情報で定められた時間が経過した後、帯域設定前のネットワーク状態に戻ることが可能となる。
【０２６８】
このように、第１２の発明の実施例によれば、コンテンツの受信を開始してから帯域確保時間情報で定められた時間が経過したら無線端末１とサーバ７間のエンド−エンドで設定した帯域を設定前の状態に自動的に戻すことができる。
【０２６９】
なお、上記の実施例１０では、無線基地局３がタイマーを備えているが、無線端末１がタイマーを備えていてもよい。この場合、無線端末１および無線基地局３は、次のように動作する。
【０２７０】
無線端末１は、サーバ７からのコンテンツデータの受信を開始すると、帯域確保時間情報の時間を計測するタイマーをスタートさせる。ここで、帯域確保時間情報は、無線端末１により作成された無線帯域情報に含まれるものであってもよいし、無線帯域情報に基づく無線帯域設定の際に無線基地局３から無線端末１に送信されるものであってもよい。
【０２７１】
無線端末１は、タイマーが終了したことを検出した場合、サーバ７に対しコンテンツの送信を停止するコンテンツ送信停止要求を送信するとともに、無線端末１との間の無線アクセスネットワーク２の無線帯域を無線帯域情報に基づいて設定した無線帯域から無線帯域情報に基づいて設定する前の無線帯域へ変更するよう要求する無線帯域変更要求を無線基地局３に対して送信する。
【０２７２】
無線基地局３は、無線端末１からの無線帯域変更要求に応じて、無線端末１との間の無線アクセスネットワーク２の帯域を無線帯域情報に基づいて設定する前の帯域へ変更する。
【０２７３】
以上説明したように、第１の発明の実施例〜第４の発明の実施例によれば、ユーザがコンテンツ受信に必要な帯域を予め調べて設定する必要なく、コンテンツを選択するだけで自動的に無線端末と無線基地局間の無線アクセスネットワーク帯域、および無線基地局とサーバ間の有線ネットワーク帯域をそのコンテンツで必要とされる帯域だけエンド−エンドで動的に設定し、コンテンツを受信することが可能となる。ここで無線アクセスネットワーク、および有線ネットワークのいずれの帯域も有線ネットワークの帯域設定情報により設定可能なため、無線システムごとに帯域設定情報を作成する必要もなくなる。この結果、サーバ管理者は、無線アクセスネットワークに使用する無線システムの変更に伴い、帯域設定情報の再作成を行う必要がなくなる。
【０２７４】
また、第５の発明の実施例〜第１２の発明の実施例によれば、コンテンツデータが配信レートを変更可能なマルチビットレート型コンテンツの場合、無線アクセスネットワークおよび有線ネットワークの帯域状況にあわせた最適な配信レートでのコンテンツ配信が可能となるとともに、配信レートにあわせた無線アクセスネットワークおよび有線ネットワークに設定する確保帯域を動的に変更可能である。
【０２７５】
また、第５の発明の実施例〜第１２の発明の実施例によれば、無線アクセスネットワークの状況を無線基地局で予測することにより、無線端末の処理負荷および無線アクセスネットワークの消費帯域を増加させることなく、迅速に配信レートの変更が可能となる。
【０２７６】
さらに、第１の発明の実施例〜第１２の発明の実施例によれば、配信レートの変更に応じて無線アクセスネットワークおよび有線ネットワークの設定帯域を動的に変更可能とすることにより、配信レートを上げた場合には変更された配信レートで安定したデータ配信を可能とするとともに、配信レートを下げた場合には必要以上の帯域を確保してしまう問題を解決できる。
【０２７７】
以下、第１の発明の実施例〜第１２の発明の実施例における無線帯域情報の作成について、具体例を挙げて説明する。
【０２７８】
図１５は、無線帯域情報の作成方法の第１の例を示す図である。図１５は、コンテンツＡ用の有線帯域情報をもとにコンテンツＡ用の無線帯域情報を作成する場合を示す。図１５に示されるとおり、第１の例では、有線帯域情報のパラメータのうち、無線帯域設定に必要なパラメータのみを抜粋して無線帯域情報を作成する。具体的には、有線帯域情報は、設定帯域値（上り）、設定帯域値（下り）、ピークレート、最大パケットサイズ、最小パケットサイズ、最大許容遅延値、帯域確保時間、継続時間、サービスクラス、ＭＣサポートの有無、および再送の有無に関する情報からなる。そして、この有線帯域情報から、設定帯域値（上り）、設定帯域値（下り）、最小パケットサイズ、継続時間、ＭＣサポートの有無、および再送の有無に関する情報を抜粋して、無線帯域情報を作成する。
【０２７９】
図１６は、無線帯域情報の作成方法の第２の例を示す図である。図１６は、コンテンツＡ用の有線帯域情報をもとにコンテンツＡ用の無線帯域情報を作成する場合を示す。図１６に示されるとおり、第２の例では、所定の演算等によって有線帯域情報のパラメータを無線帯域設定に必要なパラメータに変換して無線帯域情報を作成する。具体的には、有線帯域情報は、設定帯域値（上り）、設定帯域値（下り）、ピークレート、最大パケットサイズ、最小パケットサイズ、最大許容遅延値、帯域確保時間、継続時間、サービスクラス、ＭＣサポートの有無、および再送の有無に関する情報からなる。そして、有線帯域情報に含まれる設定帯域値（上り）、設定帯域値（下り）、および継続時間を、予め設定された演算により、無線帯域情報のパラメータとなる無線帯域値（上り）、無線帯域値（下り）、およびタイマー値に変換する。また、有線帯域情報に含まれるサービスクラスおよび再送の有無に関する情報を、予め設定された変換テーブルにより、クラスに関する情報に変換する。
【０２８０】
なお、無線帯域情報の作成方法は、上記のものに限定されない。例えば、第１の例と第２の例とを組み合わせてもよい。
【図面の簡単な説明】
【０２８１】
【図１】第１の発明の実施例に係る帯域設定方法を説明するためのシーケンス図である。
【図２】第１の発明の実施例に係る帯域設定方法を適用されたコンテンツ提供システムの全体構成を示す図である。
【図３】第２の発明の実施例に係る帯域設定方法を説明するためのシーケンス図である。
【図４】第３の発明の実施例に係る帯域設定方法を説明するためのシーケンス図である。
【図５】第４の発明の実施例に係る帯域設定方法を説明するためのシーケンス図である。
【図６】第５の発明の実施例に係る帯域設定方法を適用されたコンテンツ提供システムの全体構成を示す図である。
【図７】第５の発明の実施例に係る帯域設定方法を説明するためのシーケンス図である。
【図８】第６の発明の実施例に係る帯域設定方法を適用されたコンテンツ提供システムの全体構成を示す図である。
【図９】第６の発明の実施例に係る帯域設定方法を説明するためのシーケンス図である。
【図１０】第７の発明の実施例に係る帯域設定方法を説明するためのシーケンス図である。
【図１１】第８の発明の実施例に係る帯域設定方法を説明するためのシーケンス図である。
【図１２】第９の発明の実施例に係る帯域設定方法を説明するためのシーケンス図である。
【図１３】第１０の発明の実施例に係る帯域設定方法を適用されたコンテンツ提供システムの全体構成を示す図である。
【図１４】第１０の発明の実施例に係る帯域設定方法を説明するためのシーケンス図である。
【図１５】無線帯域情報の作成方法の第１の例を示す図である。
【図１６】無線帯域情報の作成方法の第２の例を示す図である。
【符号の説明】
【０２８２】
１    無線端末
２    無線アクセスネットワーク
３    無線基地局
４    エッジルータ
５    エッジルータ
６    有線ネットワーク
７    サーバ
８    コンテンツデータ
９    データベース
１０    有線帯域情報
１１    配信レート管理機能
１２    無線帯域監視機能
１３    有線帯域監視機能
１４    帯域管理機能
１５    帯域確保時間情報
１６    タイマー
【図１】
2005079740.tif 000003
【図２】
2005079740.tif 000004
【図３】
2005079740.tif 000005
【図４】
2005079740.tif 000006
【図５】
2005079740.tif 000007
【図６】
2005079740.tif 000008
【図７】
2005079740.tif 000009
【図８】
2005079740.tif 000010
【図９】
2005079740.tif 000011
【図１０】
2005079740.tif 000012
【図１１】
2005079740.tif 000013
【図１２】
2005079740.tif 000014
【図１３】
2005079740.tif 000015
【図１４】
2005079740.tif 000016
【図１５】
2005079740.tif 000017
【図１６】
2005079740.tif 000018